(57)【要約】      （修正有）【課題】ＭＡＣランダムアクセス応答フォーマットを変更することなく及び／又はＵＬグラントサイズを拡大することなく、ＭＴＣデバイスに改善された通信を提供する。【解決手段】ワイヤレス端末は、無線アクセスネットワークのノードへランダムアクセス手順のランダムアクセスプリアンブルを送信し、無線アクセスネットワークのノードからランダムアクセス手順のランダムアクセス応答（ＲＡＲ）を受信する。ランダムアクセス応答は、ランダムアクセス手順のメッセージ３アップリンク通信に対するアップリンク（ＵＬ）グラントを含む。ＵＬグラントは、メッセージ３アップリンク通信に関連付けられた時間領域構成と周波数領域構成とを含む。ランダムアクセス応答は、メッセージ３アップリンク通信に関連付けられた時間及び／又は周波数位置を規定する情報を含む。ワイヤレス端末は、情報に基づいてメッセージ３アップリンク通信の送信を提供する。【選択図】図６
2020115652.tif 000002
【特許請求の範囲】
【請求項１】
ワイヤレス端末（ＵＥ−ａ）を動作させる方法であって、
前記ワイヤレス端末（ＵＥ−ａ）から無線アクセスネットワーク（ＲＡＮ）のノード（ＢＳ−ａ）へランダムアクセス手順のランダムアクセスプリアンブルを送信すること（６０１）と、
前記ランダムアクセスプリアンブルを送信後、前記無線アクセスネットワークの前記ノード（ＢＳ−ａ）から前記ランダムアクセス手順のランダムアクセス応答（ＲＡＲ）を受信すること（６０３）であって、前記ランダムアクセス応答は前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３アップリンク通信のサブフレームにわたる繰り返し回数を規定する繰り返し因数、および／または（ｂ）前記メッセージ３アップリンク通信の送信時間間隔（ＴＴＩ）情報を含む時間領域構成
を含む、受信することと、
を含む、方法。
【請求項２】
前記ＵＬグラントは、前記メッセージ３アップリンク通信に関連付けられた周波数領域構成をさらに含み、前記周波数領域構成は、
前記メッセージ３アップリンク通信に対する物理リソースブロック（ＰＲＢ）リソースを指示するリソースブロックアサインメントであって、（ａ）ＵＬ狭帯域インデックス、および（ｂ）前記狭帯域内のＰＲＢペアのセットを含むリソースブロックアサインメント、ならびに／または
前記メッセージ３アップリンク通信の周波数ホッピング構成
を含む、請求項１に記載の方法。
【請求項３】
前記ランダムアクセス応答は、前記ランダムアクセス手順の前記メッセージ３アップリンク通信に対する前記繰り返し因数を含み、前記方法は、
前記メッセージ３アップリンク通信の送信繰り返し回数を、前記ワイヤレス端末（ＵＥ−ａ）から前記無線アクセスネットワークの前記ノード（ＢＳ−ａ）に提供すること（６０５）であって、前記送信繰り返し回数は、前記メッセージ３アップリンク通信に対する前記繰り返し因数に基づく、提供すること、
をさらに含む、請求項１または２に記載の方法。
【請求項４】
前記送信繰り返し回数は、メッセージ３アップリンク通信に対する前記繰り返し因数、および前記ランダムアクセスプリアンブルの送信繰り返し回数に基づく、ならびに／または、前記送信繰り返し回数は、前記メッセージ３アップリンク通信に対する前記繰り返し因数、および前記ノード（ＢＳ−ａ）から前記ワイヤレス端末（ＵＥ−ａ）へのダウンリンクチャネルのカバレッジ拡張レベルに基づく、請求項３に記載の方法。
【請求項５】
前記送信繰り返し回数は、前記メッセージ３アップリンク通信に対する前記繰り返し因数、および前記ランダムアクセス応答の送信繰り返し回数に基づく、ならびに／または、前記メッセージ３アップリンク通信に対する前記繰り返し因数、および前記ランダムアクセス応答の制御情報の送信繰り返し回数に基づく、請求項３に記載の方法。
【請求項６】
前記ランダムアクセス応答は、前記メッセージ３アップリンク通信に関連付けられた時間および／または周波数位置を規定する情報を含み、前記方法は、
前記ランダムアクセス応答からの前記時間および／または周波数位置を規定する前記情報に基づいて前記メッセージ３アップリンク通信の送信を提供すること（６０５）
をさらに含む、請求項１から５のいずれか一項に記載の方法。
【請求項７】
前記時間および／または周波数位置を規定する情報は、前記メッセージ３アップリンク通信のサブフレームにおいて時間および／または周波数位置を規定する、請求項６に記載の方法。
【請求項８】
前記時間および／または周波数位置を規定する前記情報は、
（ａ）前記メッセージ３アップリンク送信を伝搬するサブフレームのセットの中の開始サブフレーム、
（ｂ）前記メッセージ３アップリンク送信を伝搬するためのサブフレームにわたる繰り返し回数、
（ｃ）前記メッセージ３アップリンク送信のサブフレームにおける周波数位置であって、狭帯域インデックスまたはＰＲＢペアインデックスによって提供される周波数位置、
（ｄ）前記メッセージ３アップリンク送信によって占められるＰＲＢペアの数、
（ｅ）前記メッセージ３アップリンク送信のリソースブロック割り当て情報、および／または
（ｆ）前記メッセージ３アップリンク送信の周波数ホッピング構成、
のうちの１つまたは複数を規定する、請求項７に記載の方法。
【請求項９】
前記ランダムアクセス応答は、メッセージ４ダウンリンク通信のための制御チャネルの構成情報を含み、前記方法は、
前記構成情報に基づいて前記メッセージ４ダウンリンク通信に関連付けられた前記制御チャネルを受信すること（６０７）と、
前記制御チャネルに基づいて前記ノード（ＢＳ−ａ）から前記メッセージ４ダウンリンク通信を受信すること（６０９）と
をさらに含む、請求項１から８のいずれか一項に記載の方法。
【請求項１０】
前記構成情報は、
（ａ）前記メッセージ４ダウンリンク通信に関連付けられた前記制御チャネルを伝搬するサブフレームのセットの中の開始サブフレーム、
（ｂ）前記制御チャネルを伝搬するためのサブフレームにわたる繰り返し回数、
（ｃ）前記制御チャネルのサブフレームにおける周波数位置であって、狭帯域インデックスまたはＰＲＢペアインデックスによって提供される周波数位置、
（ｄ）前記制御チャネルに使用されるＰＲＢペアの数、
（ｅ）前記制御チャネルのリソースブロックアサインメント情報、および／または
（ｆ）前記制御チャネルの周波数ホッピング構成、
のうちの１つまたは複数を提供する時間および／または周波数リソース定義を含む、請求項９に記載の方法。
【請求項１１】
前記ランダムアクセス応答は、タイミングアドバンスコマンド、および前記ワイヤレス端末に対する一時識別をさらに含み、前記ＵＬグラントは、前記タイミングアドバンスコマンドと前記ワイヤレス端末に対する前記一時識別との間に含まれる、請求項１から１０のいずれか一項に記載の方法。
【請求項１２】
前記ランダムアクセス応答は６オクテットを含み、前記タイミングアドバンスコマンドは、前記６オクテットの第１のオクテットの一部分、および前記６オクテットの第２のオクテットの一部分に含まれ、前記ＵＬグラントは、前記６オクテットの前記第２のオクテットの一部分、および前記６オクテットの第３および第４のオクテットに含まれ、前記ワイヤレス端末に対する前記一時識別は、前記６オクテットの第５および第６のオクテットに含まれる、請求項１１に記載の方法。
【請求項１３】
前記ランダムアクセスプリアンブルを送信することは、物理ランダムアクセスチャネル（ＰＲＡＣＨ）を介して前記ランダムアクセスプリアンブルを送信することを含む、および／または、前記ランダムアクセス応答を受信することは、物理ダウンリンク共有チャネル（ＰＤＳＣＨ）を介して前記ランダムアクセス応答を受信することを含む、請求項１から１２のいずれか一項に記載の方法。
【請求項１４】
無線アクセスネットワーク（ＲＡＮ）のノード（ＢＳ−ａ）を動作させる方法であって、
ワイヤレス端末（ＵＥ−ａ）からランダムアクセス手順のランダムアクセスプリアンブルを受信すること（８０１）と、
前記ランダムアクセスプリアンブルの受信に応答して、前記ワイヤレス端末（ＵＥ−ａ）に前記ランダムアクセス手順のランダムアクセス応答（ＲＡＲ）を送信すること（８０３）であって、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３ＵＬ通信のサブフレームにわたる繰り返し回数を規定する繰り返し因数、または（ｂ）前記メッセージ３ＵＬ通信の送信時間間隔（ＴＴＩ）情報を含む時間領域構成
を含む、送信することと、
を含む、方法。
【請求項１５】
前記ＵＬグラントは、前記メッセージ３アップリンク通信に関連付けられた周波数領域構成をさらに含み、前記周波数領域構成は、
前記メッセージ３アップリンク通信に対する物理リソースブロック（ＰＲＢ）リソースを指示するリソースブロックアサインメントであって、（ａ）ＵＬ狭帯域インデックス、および（ｂ）前記狭帯域内のＰＲＢペアのセットを含むリソースブロックアサインメント、ならびに／または
前記メッセージ３アップリンク通信の周波数ホッピング構成
を含む、請求項１４に記載の方法。
【請求項１６】
前記ランダムアクセス応答は、前記ランダムアクセス手順の前記メッセージ３アップリンク通信に対する前記繰り返し因数を含み、前記方法は、
前記ワイヤレス端末（ＵＥ−ａ）から前記メッセージ３アップリンク通信の送信繰り返し回数を受信すること（８０５）であって、前記送信繰り返し回数は前記メッセージ３アップリンク通信に対する前記繰り返し因数に基づく、受信すること
をさらに含む、請求項１４または１５に記載の方法。
【請求項１７】
前記送信繰り返し回数は、前記メッセージ３アップリンク通信に対する前記繰り返し因数、および前記ランダムアクセスプリアンブルの送信繰り返し回数に基づく、ならびに／または、前記送信繰り返し回数は、前記メッセージ３アップリンク通信に対する前記繰り返し因数、および前記ノード（ＢＳ−ａ）から前記ワイヤレス端末（ＵＥ−ａ）へのダウンリンクチャネルのカバレッジ拡張レベルに基づく、請求項１６に記載の方法。
【請求項１８】
前記ランダムアクセス応答は、メッセージ３アップリンク通信に関連付けられた時間および／または周波数位置を規定する情報を含み、前記方法は、
前記ランダムアクセス応答からの前記時間および／または周波数位置を規定する前記情報に基づいてメッセージ３アップリンク通信を受信すること（８０５）
をさらに含む、請求項１４から１７のいずれか一項に記載の方法。
【請求項１９】
前記時間および／または周波数位置を規定する情報は、前記メッセージ３アップリンク通信のサブフレームにおいて時間および／または周波数位置を規定する、請求項１８に記載の方法。
【請求項２０】
前記時間および／または周波数位置を規定する前記情報は、
（ａ）前記メッセージ３アップリンク送信を伝搬するサブフレームのセットの中の開始サブフレーム、
（ｂ）前記メッセージ３アップリンク送信を伝搬するためのサブフレームにわたる繰り返し回数、
（ｃ）前記メッセージ３アップリンク送信のサブフレームにおける周波数位置であって、狭帯域インデックスまたはＰＲＢペアインデックスによって提供される周波数位置、
（ｄ）前記メッセージ３アップリンク送信によって占められるＰＲＢペアの数、
（ｅ）前記メッセージ３アップリンク送信のリソースブロック割り当て情報、および／または
（ｆ）前記メッセージ３アップリンク送信の周波数ホッピング構成、
のうちの１つまたは複数を規定する、請求項１９に記載の方法。
【請求項２１】
前記ランダムアクセス応答は、メッセージ４ダウンリンク通信のための制御チャネルの構成情報を含み、前記方法は、
前記構成情報に基づいて前記メッセージ４ダウンリンク通信に関連付けられた前記制御チャネルを前記ワイヤレス端末に送信すること（８０７）と、
前記制御チャネルに基づいて前記ワイヤレス端末（ＵＥ−ａ）に前記メッセージ４ダウンリンク通信を送信すること（８０９）と
をさらに含む、請求項１４から２０のいずれか一項に記載の方法。
【請求項２２】
前記構成情報は、
（ａ）前記メッセージ４ダウンリンク通信に関連付けられた前記制御チャネルを伝搬するサブフレームのセットの中の開始サブフレーム、
（ｂ）前記制御チャネルを伝搬するためのサブフレームにわたる繰り返し回数、
（ｃ）前記制御チャネルのサブフレームにおける周波数位置であって、狭帯域インデックスまたはＰＲＢペアインデックスによって提供される周波数位置、
（ｄ）前記制御チャネルに使用されるＰＲＢペアの数、
（ｅ）前記制御チャネルのリソースブロックアサインメント情報、および／または
（ｆ）前記制御チャネルの周波数ホッピング構成、
のうちの１つまたは複数を提供する時間および／または周波数リソース定義を含む、請求項２１に記載の方法。
【請求項２３】
前記ランダムアクセス応答は、タイミングアドバンスコマンド、および前記ワイヤレス端末に対する一時識別をさらに含み、前記ＵＬグラントは、前記タイミングアドバンスコマンドと前記ワイヤレス端末に対する前記一時識別との間に含まれる、請求項１４から２２のいずれか一項に記載の方法。
【請求項２４】
前記ランダムアクセス応答は６オクテットを含み、前記タイミングアドバンスコマンドは、前記６オクテットの第１のオクテットの一部分、および前記６オクテットの第２のオクテットの一部分に含まれ、前記ＵＬグラントは、前記６オクテットの前記第２のオクテットの一部分、および前記６オクテットの第３および第４のオクテットに含まれ、前記ワイヤレス端末に対する前記一時識別は、前記６オクテットの第５および第６のオクテットに含まれる、請求項２３に記載の方法。
【請求項２５】
前記ランダムアクセス応答は、タイミングアドバンスコマンド、前記ワイヤレス端末に対する一時識別、および／または前記メッセージ３アップリンク通信に対する変調符号化方式をさらに含む、請求項１４から２４のいずれか一項に記載の方法。
【請求項２６】
前記ランダムアクセスプリアンブルを受信することは、物理ランダムアクセスチャネル（ＰＲＡＣＨ）を介して前記ランダムアクセスプリアンブルを受信することを含む、および／または、前記ランダムアクセス応答を送信することは、物理ダウンリンク共有チャネル（ＰＤＳＣＨ）を介して前記ランダムアクセス応答を送信することを含む、請求項１４から２５のいずれか一項に記載の方法。
【請求項２７】
ワイヤレス端末（ＵＥ−ａ）であって、
前記ワイヤレス端末（ＵＥ−ａ）から無線アクセスネットワーク（ＲＡＮ）のノード（ＢＳ−ａ）へランダムアクセス手順のランダムアクセスプリアンブルを送信するように、および、
前記ランダムアクセスプリアンブルを送信後に前記無線アクセスネットワークの前記ノード（ＢＳ−ａ）から前記ランダムアクセス手順のランダムアクセス応答（ＲＡＲ）を受信するように適合されており、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３アップリンク通信のサブフレームにわたる繰り返し回数を規定する繰り返し因数、および／または（ｂ）前記メッセージ３アップリンク通信の送信時間間隔（ＴＴＩ）情報を含む時間領域構成
を含む、ワイヤレス端末。
【請求項２８】
前記ランダムアクセス応答は、前記ランダムアクセス手順の前記メッセージ３アップリンク通信に対する前記繰り返し因数を含み、前記ワイヤレス端末は、
前記ワイヤレス端末（ＵＥ−ａ）から前記無線アクセスネットワークの前記ノード（ＢＳ−ａ）へ前記メッセージ３アップリンク通信の送信繰り返し回数を提供するようにさらに適合されており、前記送信繰り返し回数は前記メッセージ３アップリンク通信に対する前記繰り返し因数に基づく、請求項２７に記載のワイヤレス端末。
【請求項２９】
前記ランダムアクセス応答は、前記メッセージ３アップリンク通信に関連付けられた時間および／または周波数位置を規定する情報を含み、前記ワイヤレス端末は、
前記ランダムアクセス応答からの前記時間および／または周波数位置を規定する前記情報に基づいて前記メッセージ３アップリンク通信の送信を提供するようにさらに適合されている、請求項２７または２８に記載のワイヤレス端末。
【請求項３０】
前記ランダムアクセス応答は、メッセージ４ダウンリンク通信のための制御チャネルの構成情報を含み、前記ワイヤレス端末は、
前記構成情報に基づいて前記メッセージ４ダウンリンク通信に関連付けられた制御チャネルを受信するように、および、
前記メッセージ４ダウンリンク通信を前記制御チャネルに基づいて前記ノード（ＢＳ−ａ）から受信するようにさらに適合されている、請求項２７から２９のいずれか一項に記載のワイヤレス端末。
【請求項３１】
無線アクセスネットワーク（ＲＡＮ）のノード（ＢＳ−ａ）とのワイヤレス通信を提供するように構成されるトランシーバ（３０１−ａ）と、
前記トランシーバと連結されるプロセッサ（３０３−ａ）であって、前記トランシーバ（３０１−ａ）を通して前記ノード（ＢＳ−ａ）に対する通信の送信および／または受信を行うように構成されていて、
無線アクセスネットワーク（ＲＡＮ）のノード（ＢＳ−ａ）に前記トランシーバ（３０１−ａ）を通してランダムアクセス手順のランダムアクセスプリアンブルを送信するように、および、
前記ランダムアクセスプリアンブルを送信後に前記トランシーバ（３０１−ａ）を通して前記無線アクセスネットワークの前記ノード（ＢＳ−ａ）から前記ランダムアクセス手順のランダムアクセス応答（ＲＡＲ）を受信するように構成されていて、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３アップリンク通信のサブフレームにわたる繰り返し回数を規定する繰り返し因数、および／または（ｂ）前記メッセージ３アップリンク通信の送信時間間隔（ＴＴＩ）情報を含む時間領域構成
を含む、プロセッサと、
を含む、ワイヤレス端末（ＵＥ−ａ）。
【請求項３２】
前記ランダムアクセス応答は、前記ランダムアクセス手順の前記メッセージ３アップリンク通信に対する前記繰り返し因数を含み、前記プロセッサは、
前記トランシーバ（３０１−ａ）を通して前記無線アクセスネットワークの前記ノード（ＢＳ−ａ）への前記メッセージ３アップリンク通信の送信繰り返し回数を提供するようにさらに構成されていて、前記送信繰り返し回数は前記メッセージ３アップリンク通信に対する前記繰り返し因数に基づく、請求項３１に記載のワイヤレス端末。
【請求項３３】
前記ランダムアクセス応答は、前記メッセージ３アップリンク通信に関連付けられた時間および／または周波数位置を規定する情報を含み、前記プロセッサは、
前記ランダムアクセス応答からの前記時間および／または周波数位置を規定する前記情報に基づいて前記トランシーバ（３０１−ａ）を通して前記メッセージ３アップリンク通信の送信を提供するようにさらに構成されている、請求項３１または３２に記載のワイヤレス端末。
【請求項３４】
前記ランダムアクセス応答は、メッセージ４ダウンリンク通信のための制御チャネルの構成情報を含み、前記プロセッサは、
前記構成情報に基づいて前記トランシーバ（３０１−ａ）を通して前記メッセージ４ダウンリンク通信に関連付けられた前記制御チャネルを受信するように、および、
前記メッセージ４ダウンリンク通信を前記制御チャネルに基づいて前記トランシーバ（３０１−ａ）を通して前記ノード（ＢＳ−ａ）から受信するようにさらに構成されている、請求項３１から３３のいずれか一項に記載のワイヤレス端末。
【請求項３５】
ワイヤレス端末（ＵＥ−ａ）であって、
前記ワイヤレス端末（ＵＥ−ａ）から無線アクセスネットワーク（ＲＡＮ）のノード（ＢＳ−ａ）へランダムアクセス手順のランダムアクセスプリアンブルを送信するように適合されたランダムアクセスプリアンブル送信モジュール（７０１）と、
前記ランダムアクセスプリアンブルの送信後に、前記無線アクセスネットワークの前記ノード（ＢＳ−ａ）から前記ランダムアクセス手順のランダムアクセス応答（ＲＡＲ）を受信するように適合されたランダムアクセス応答受信モジュール（７０３）であって、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３アップリンク通信のサブフレームにわたる繰り返し回数を規定する繰り返し因数、および／または（ｂ）前記メッセージ３アップリンク通信の送信時間間隔（ＴＴＩ）情報を含む時間領域構成
を含む、ランダムアクセス応答受信モジュールと、
を含む、ワイヤレス端末。
【請求項３６】
前記ランダムアクセス応答は、前記ランダムアクセス手順の前記メッセージ３アップリンク通信に対する前記繰り返し因数を含み、前記ワイヤレス端末は、
前記ワイヤレス端末（ＵＥ−ａ）から前記無線アクセスネットワークの前記ノード（ＢＳ−ａ）への前記メッセージ３アップリンク通信の送信繰り返し回数を提供するように適合された送信繰り返しモジュール（７０５）であって、前記送信繰り返し回数は前記メッセージ３アップリンク通信に対する前記繰り返し因数に基づく、送信繰り返しモジュール
をさらに含む、請求項３５に記載のワイヤレス端末。
【請求項３７】
前記ランダムアクセス応答は、前記メッセージ３アップリンク通信に関連付けられた時間および／または周波数位置を規定する情報を含み、前記ワイヤレス端末は、
前記ランダムアクセス応答からの前記時間および／または周波数位置を規定する前記情報に基づいて前記メッセージ３アップリンク通信の送信を提供するように適合された、メッセージ３送信モジュール（７０５）
をさらに含む、請求項３５または３６に記載のワイヤレス端末。
【請求項３８】
前記ランダムアクセス応答は、メッセージ４ダウンリンク通信のための制御チャネルの構成情報を含み、前記ワイヤレス端末は、
前記構成情報に基づいて前記メッセージ４ダウンリンク通信に関連付けられた前記制御チャネルを受信するように適合された制御チャネル受信モジュール（７０７）と、
前記制御チャネルに基づいて前記ノード（ＢＳ−ａ）から前記メッセージ４ダウンリンク通信を受信するように適合されたメッセージ４受信モジュール（７０９）と、
に対してさらに適合されている、請求項３５から３７のいずれか一項に記載のワイヤレス端末。
【請求項３９】
無線アクセスネットワーク（ＲＡＮ）のノード（ＢＳ−ａ）であって、
ワイヤレス端末（ＵＥ−ａ）からランダムアクセス手順のランダムアクセスプリアンブルを受信するように、および、
前記ランダムアクセスプリアンブルの受信に応答して、前記ワイヤレス端末（ＵＥ−ａ）に前記ランダムアクセス手順のランダムアクセス応答（ＲＡＲ）を送信するように適合されていて、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３ＵＬ通信のサブフレームにわたる繰り返し回数を規定する繰り返し因数、または（ｂ）前記メッセージ３ＵＬ通信の送信時間間隔（ＴＴＩ）情報を含む時間領域構成
を含む、ノード（ＢＳ−ａ）。
【請求項４０】
前記ランダムアクセス応答は、前記ランダムアクセス手順の前記メッセージ３アップリンク通信に対する前記繰り返し因数を含み、前記ノードは、
前記ワイヤレス端末（ＵＥ−ａ）から前記メッセージ３アップリンク通信の送信繰り返し回数を受信するようにさらに適合されていて、前記送信繰り返し回数は前記メッセージ３アップリンク通信に対する前記繰り返し因数に基づく、請求項３９に記載のノード（ＢＳ−ａ）。
【請求項４１】
前記ランダムアクセス応答は、メッセージ３アップリンク通信に関連付けられた時間および／または周波数位置を規定する情報を含み、前記ノードは、
前記ランダムアクセス応答からの前記時間および／または周波数位置を規定する前記情報に基づいてメッセージ３アップリンク通信を受信するようにさらに適合されている、請求項３９または４０に記載のノード（ＢＳ−ａ）。
【請求項４２】
前記ランダムアクセス応答は、メッセージ４ダウンリンク通信のための制御チャネルの構成情報を含み、前記ノードは、
前記構成情報に基づいて前記メッセージ４ダウンリンク通信に関連付けられた前記制御チャネルを前記ワイヤレス端末に送信するように、および、
前記制御チャネルに基づいて前記ワイヤレス端末（ＵＥ−ａ）に前記メッセージ４ダウンリンク通信を送信するようにさらに適合されている、請求項３９から４１のいずれか一項に記載のノード（ＢＳ−ａ）。
【請求項４３】
ワイヤレス通信ネットワークのノード（ＢＳ−ａ）であって、
前記ノード（ＢＳ−ａ）のカバレッジエリアにおける複数のワイヤレス端末（ＵＥ）とのワイヤレス通信を提供するように構成されたトランシーバ（２０１−ａ）と、
前記トランシーバ（２０１−ａ）に連結されたプロセッサ（２０３−ａ）であって、前記トランシーバ（２０１−ａ）を通してワイヤレス端末（ＵＥ−ａ）に対する通信の送信および／または受信を行うように構成され、
前記トランシーバ（２０１−ａ）を通して前記ワイヤレス端末（ＵＥ−ａ）からランダムアクセス手順のランダムアクセスプリアンブルを受信するように、および、
前記ランダムアクセスプリアンブルの受信に応答して前記トランシーバ（２０１−ａ）を通して前記ワイヤレス端末（ＵＥ−ａ）に前記ランダムアクセス手順のランダムアクセス応答（ＲＡＲ）を送信するように構成され、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３ＵＬ通信のサブフレームにわたる繰り返し回数を規定する繰り返し因数、または（ｂ）前記メッセージ３ＵＬ通信の送信時間間隔（ＴＴＩ）情報を含む時間領域構成
を含む、プロセッサと、
を含む、ノード（ＢＳ−ａ）。
【請求項４４】
前記ランダムアクセス応答は、前記ランダムアクセス手順の前記メッセージ３アップリンク通信に対する繰り返し因数を含み、前記プロセッサは、
前記トランシーバ（２０１−ａ）を通して前記ワイヤレス端末（ＵＥ−ａ）から前記メッセージ３アップリンク通信の送信繰り返し回数を受信するようにさらに構成されていて、前記送信繰り返し回数は前記メッセージ３アップリンク通信に対する前記繰り返し因数に基づく、請求項４３に記載のノード（ＢＳ−ａ）。
【請求項４５】
前記ランダムアクセス応答は、メッセージ３アップリンク通信に関連付けられた時間および／または周波数位置を規定する情報を含み、前記プロセッサは、
前記ランダムアクセス応答からの前記時間および／または周波数位置を規定する前記情報に基づいて前記トランシーバ（２０１−ａ）を通してメッセージ３アップリンク通信を受信するようにさらに構成されている、請求項４３または４４に記載のノード（ＢＳ−ａ）。
【請求項４６】
前記ランダムアクセス応答は、メッセージ４ダウンリンク通信のための制御チャネルの構成情報を含み、前記プロセッサは、
前記構成情報に基づいて、前記メッセージ４ダウンリンク通信に関連付けられた前記制御チャネルを前記トランシーバ（２０１−ａ）を通して前記ワイヤレス端末に送信するように、および、
前記メッセージ４ダウンリンク通信を、前記制御チャネルに基づいて前記トランシーバ（２０１−ａ）を通して前記ワイヤレス端末（ＵＥ−ａ）に送信するようにさらに構成されている、請求項４３から４５のいずれか一項に記載のノード（ＢＳ−ａ）。
【請求項４７】
ワイヤレス端末（ＵＥ−ａ）からランダムアクセス手順のランダムアクセスプリアンブルを受信するように適合されたランダムアクセスプリアンブル受信モジュール（９０１）と、
前記ランダムアクセスプリアンブルの受信に応答して、前記ワイヤレス端末（ＵＥ−ａ）に前記ランダムアクセス手順のランダムアクセス応答（ＲＡＲ）を送信するように適合されたランダムアクセス応答送信モジュール（９０３）であって、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３ＵＬ通信のサブフレームにわたる繰り返し回数を規定する繰り返し因数、または（ｂ）前記メッセージ３ＵＬ通信の送信時間間隔（ＴＴＩ）情報を含む時間領域構成
を含む、ランダムアクセス応答送信モジュールと、
を含む、ランダムアクセスネットワーク（ＲＡＮ）のノード（ＢＳ−ａ）。
【請求項４８】
前記ランダムアクセス応答は、前記ランダムアクセス手順の前記メッセージ３アップリンク通信に対する前記繰り返し因数を含み、前記ノードは、
前記ワイヤレス端末（ＵＥ−ａ）から前記メッセージ３アップリンク通信の送信繰り返し回数を受信するように適合された送信繰り返し受信モジュール（９０５）であって、前記送信繰り返し回数は前記メッセージ３アップリンク通信に対する前記繰り返し因数に基づく、送信繰り返し受信モジュール
をさらに含む、請求項４７に記載のノード（ＢＳ−ａ）。
【請求項４９】
前記ランダムアクセス応答は、メッセージ３アップリンク通信に関連付けられた時間および／または周波数位置を規定する情報を含み、前記ノードは、
前記ランダムアクセス応答からの前記時間および／または周波数位置を規定する前記情報に基づいてメッセージ３アップリンク通信を受信するように適合されたメッセージ３受信モジュール（９０５）
をさらに含む、請求項４７または４８に記載のノード（ＢＳ−ａ）。
【請求項５０】
前記ランダムアクセス応答は、メッセージ４ダウンリンク通信のための制御チャネルの構成情報を含み、前記ノードは、
前記構成情報に基づいて、前記メッセージ４ダウンリンク通信に関連付けられた前記制御チャネルを前記ワイヤレス端末に送信するように適合された制御チャネル送信モジュール（９０７）と、
前記メッセージ４ダウンリンク通信を、前記制御チャネルに基づいて前記ワイヤレス端末（ＵＥ−ａ）に送信するように適合されたメッセージ４送信モジュール（９０９）と、
をさらに含む、請求項４７から４９のいずれか一項に記載のノード（ＢＳ−ａ）。
【発明の詳細な説明】
【技術分野】
【０００１】
本開示は、ワイヤレス通信を対象とし、より詳細には、ランダムアクセス手順、ならびに関連したワイヤレス端末および基地局を対象とする。
【背景技術】
【０００２】
典型的なセルラー無線システムでは、ワイヤレス端末は１つまたは複数のコアネットワークと無線アクセスネットワーク（ＲＡＮ）を介して通信する。ＲＡＮは、セルエリアに分割される地理的地域を包含し、それぞれのセルエリアは基地局によってサーブされる。セルエリアは、無線カバレッジが基地局サイトにおいて基地局によって提供される地理的地域である。基地局は、ワイヤレス無線通信チャネルを通して、基地局サブシステムの範囲内のワイヤレス端末と通信する。
【０００３】
マシン型通信（ＭＴＣ）ワイヤレス端末の通信は、無線アクセスネットワークにおいて成長分野の通信である。かかるＭＴＣワイヤレス端末は、ワイヤレスにネットワーク化されたセンサ、計器などを提供するために使用可能である。かかる応用では、ＭＴＣワイヤレス端末は、比較的少量のアップリンク（ＵＬ）データを比較的低頻度で送信することが考えられ得る。
【０００４】
ＭＴＣワイヤレス端末は好ましくない無線条件のエリア（例えば地下室）に位置する場合があるため、ＭＴＣワイヤレス端末は、従来のランダムアクセス手順の通信を送信するおよび／または受信することが困難である場合がある。
【０００５】
背景技術の節で説明されるアプローチは遂行可能であるが、必ずしも、以前に想到または遂行されたアプローチであるわけではない。従って、別段本明細書に指示がない限り、背景技術の節で説明されるアプローチは本願に開示される発明に関する実施形態に対する先行技術ではなく、背景技術の節に含めることによって先行技術であるとは認められない。従って、背景技術の節に含有されるいずれの説明も発明を実施するための形態の節に移され得る。
【発明の概要】
【０００６】
発明概念のいくつかの実施形態によると、ワイヤレス端末を動作させる方法は、ワイヤレス端末から無線アクセスネットワークのノードへランダムアクセス手順のランダムアクセスプリアンブルを送信することを含むことができる。ランダムアクセスプリアンブルを送信後、ランダムアクセス手順のランダムアクセス応答は、無線アクセスネットワークのノードから受信可能であり、このランダムアクセス応答はランダムアクセス手順のメッセージ３アップリンク通信に対するアップリンクグラントを含む。ＵＬグラントは、メッセージ３アップリンク通信に関連付けられた時間領域構成を含むことができる。時間領域構成は、メッセージ３アップリンク通信のサブフレームにわたる繰り返し回数を規定する繰り返し因数、および／またはメッセージ３アップリンク通信の送信時間間隔情報を含むことができる。関連したワイヤレス端末および基地局についても論じられる。
【０００７】
ＵＬグラントは、メッセージ３アップリンク通信に関連付けられた周波数領域構成をさらに含むことができる。周波数領域構成は、メッセージ３アップリンク通信に対する物理リソースブロックリソースを指示するリソースブロックアサインメントを含むことができる。リソースブロックアサインメントは、ＵＬ狭帯域インデックス、および狭帯域内のＰＲＢペアのセット、ならびに／またはメッセージ３アップリンク通信の周波数ホッピング構成を含むことができる。
【０００８】
ランダムアクセス応答は、ランダムアクセス手順のメッセージ３アップリンクに対する繰り返し因数を含むことができる。さらに、メッセージ３アップリンク通信の送信繰り返し回数は、ワイヤレス端末から無線アクセスネットワークのノードに提供可能であり、ここで、送信繰り返し回数は、メッセージ３アップリンク通信に対する繰り返し因数に基づく。送信繰り返し回数は、メッセージ３アップリンク通信に対する繰り返し因数、およびランダムアクセスプリアンブルの送信繰り返し回数に基づくことができる、ならびに／または、送信繰り返し回数は、メッセージ３アップリンク通信に対する繰り返し因数、およびノードからワイヤレス端末へのダウンリンクチャネルのカバレッジ拡張レベルに基づくことができる。送信繰り返し回数は、メッセージ３アップリンク通信に対する繰り返し因数、およびランダムアクセス応答の送信繰り返し回数に基づくことができる、ならびに／または、メッセージ３アップリンク通信に対する繰り返し因数、およびランダムアクセス応答の制御情報の送信繰り返し回数に基づくことができる。
【０００９】
ランダムアクセス応答は、メッセージ３アップリンク通信に関連付けられた時間および／または周波数位置を規定する情報を含むことができる。メッセージ３アップリンク通信の送信は、ランダムアクセス応答からの時間および／または周波数位置を規定する情報に基づいて提供されてよい。時間および／または周波数位置を規定する情報は、メッセージ３アップリンク通信のサブフレームにおいて時間および／または周波数位置を規定することができる。
【００１０】
時間および／または周波数位置を規定する情報は、メッセージ３アップリンク送信を伝搬するサブフレームのセットの中の開始サブフレーム、メッセージ３アップリンク送信を伝搬するためのサブフレームにわたる繰り返し回数、メッセージ３アップリンク送信のサブフレームにおける周波数位置であって、狭帯域インデックスまたはＰＲＢペアインデックスによって提供される周波数位置、メッセージ３アップリンク送信によって占められるＰＲＢペアの数、メッセージ３アップリンク送信のリソースブロック割り当て情報、および／またはメッセージ３アップリンク送信の周波数ホッピング構成のうちの１つまたは複数を規定することができる。
【００１１】
ランダムアクセス応答は、メッセージ４ダウンリンク通信のための制御チャネルの構成情報を含むことができる。メッセージ４ダウンリンク通信に関連付けられた制御チャネルは、構成情報に基づいて受信可能であり、メッセージ４ダウンリンク通信は、制御チャネルに基づいてノードから受信されてよい。構成情報は、メッセージ４ダウンリンク通信に関連付けられた制御チャネルを伝搬するサブフレームのセットの中の開始サブフレーム、制御チャネルを伝搬するためのサブフレームにわたる繰り返し回数、制御チャネルのサブフレームにおける周波数位置であって、狭帯域インデックスまたはＰＲＢペアインデックスによって提供される周波数位置、制御チャネルに使用されるＰＲＢペアの数、制御チャネルのリソースブロックアサインメント情報、および／または制御チャネルの周波数ホッピング構成のうちの１つまたは複数を提供する時間および／または周波数リソース定義を含むことができる。
【００１２】
ランダムアクセス応答は、タイミングアドバンスコマンド、およびワイヤレス端末に対する一時識別をさらに含むことができ、ＵＬグラントは、タイミングアドバンスコマンドとワイヤレス端末に対する一時識別との間に含まれてよい。ランダムアクセス応答は６オクテットを含むことができ、タイミングアドバンスコマンドは、６オクテットの第１のオクテットの一部分、および６オクテットの第２のオクテットの一部分に含まれてよく、ＵＬグラントは、６オクテットの第２のオクテットの一部分、ならびに６オクテットの第３および第４のオクテットに含まれてよく、ワイヤレス端末に対する一時識別は、６オクテットの第５および第６のオクテットに含まれてよい。
【００１３】
ランダムアクセスプリアンブルを送信することは、物理ランダムアクセスチャネルＰＲＡＣＨを介してランダムアクセスプリアンブルを送信することを含むことができる、および／または、ランダムアクセス応答を受信することは、物理ダウンリンク共有チャネルＰＤＳＣＨを介してランダムアクセス応答を受信することを含むことができる。
【００１４】
発明概念のいくつかの他の実施形態によると、無線アクセスネットワークのノードを動作させる方法は、ワイヤレス端末からランダムアクセス手順のランダムアクセスプリアンブルを受信することを含むことができる。ランダムアクセスプリアンブルの受信に応答して、ランダムアクセス手順のランダムアクセス応答は、ワイヤレス端末に送信されてよく、ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができ、時間領域構成は、メッセージ３ＵＬ通信のサブフレームにわたる繰り返し回数を規定する繰り返し因数、またはメッセージ３ＵＬ通信の送信時間間隔情報を含むことができる。
【００１５】
ＵＬグラントは、メッセージ３アップリンク通信に関連付けられた周波数領域構成をさらに含むことができる。周波数領域構成は、メッセージ３アップリンク通信に対する物理リソースブロックリソースを指示するリソースブロックアサインメントであって、ＵＬ狭帯域インデックスおよび狭帯域内のＰＲＢペアのセットを含むリソースブロックアサインメント、および／またはメッセージ３アップリンク通信の周波数ホッピング構成を含むことができる。
【００１６】
ランダムアクセス応答は、ランダムアクセス手順のメッセージ３アップリンク通信に対する繰り返し因数を含むことができ、メッセージ３アップリンク通信の送信繰り返し回数はワイヤレス端末から受信されてよく、ここで、送信繰り返し回数はメッセージ３アップリンク通信に対する繰り返し因数に基づく。送信繰り返し回数は、メッセージ３アップリンク通信に対する繰り返し因数、およびランダムアクセスプリアンブルの送信繰り返し回数に基づくことができる、ならびに／または、送信繰り返し回数は、メッセージ３アップリンク通信に対する繰り返し因数、およびノードからワイヤレス端末へのダウンリンクチャネルのカバレッジ拡張レベルに基づくことができる。
【００１７】
ランダムアクセス応答は、メッセージ３アップリンク通信に関連付けられた時間および／または周波数位置を規定する情報を含むことができる。方法は、ランダムアクセス応答からの時間および／または周波数位置を規定する情報に基づいてメッセージ３アップリンク通信を受信することをさらに含むことができる。時間および／または周波数位置を規定する情報は、メッセージ３アップリンク通信のサブフレームにおいて時間および／または周波数位置を規定することができる。時間および／または周波数位置を規定する情報は、メッセージ３アップリンク送信を伝搬するサブフレームのセットの中の開始サブフレーム、メッセージ３アップリンク送信を伝搬するためのサブフレームにわたる繰り返し回数、メッセージ３アップリンク送信のサブフレームにおける周波数位置であって、狭帯域インデックスまたはＰＲＢペアインデックスによって提供される周波数位置、メッセージ３アップリンク送信によって占められるＰＲＢペアの数、メッセージ３アップリンク送信のリソースブロック割り当て情報、および／またはメッセージ３アップリンク送信の周波数ホッピング構成のうちの１つまたは複数を規定することができる。
【００１８】
ランダムアクセス応答は、メッセージ４ダウンリンク通信のための制御チャネルの構成情報を含むことができる。メッセージ４ダウンリンク通信に関連付けられた制御チャネルは、構成情報に基づいてワイヤレス端末に送信可能であり、メッセージ４ダウンリンク通信は、制御チャネルに基づいてワイヤレス端末に送信されてよい。構成情報は、メッセージ４ダウンリンク通信に関連付けられた制御チャネルを伝搬するサブフレームのセットの中の開始サブフレーム、制御チャネルを伝搬するためのサブフレームにわたる繰り返し回数、制御チャネルのサブフレームにおける周波数位置であって、狭帯域インデックスまたはＰＲＢペアインデックスによって提供される周波数位置、制御チャネルに使用されるＰＲＢペアの数、制御チャネルのリソースブロックアサインメント情報、および／または制御チャネルの周波数ホッピング構成のうちの１つまたは複数を提供する時間および／または周波数リソース定義を含むことができる。
【００１９】
ランダムアクセス応答は、タイミングアドバンスコマンド、およびワイヤレス端末に対する一時識別をさらに含むことができ、ＵＬグラントは、タイミングアドバンスコマンドとワイヤレス端末に対する一時識別との間に含まれてよい。ランダムアクセス応答は６オクテットを含むことができ、タイミングアドバンスコマンドは、６オクテットの第１のオクテットの一部分、および６オクテットの第２のオクテットの一部分に含まれてよく、ＵＬグラントは、６オクテットの第２のオクテットの一部分、ならびに６オクテットの第３および第４のオクテットに含まれてよく、ワイヤレス端末に対する一時識別は、６オクテットの第５および第６のオクテットに含まれてよい。
【００２０】
ランダムアクセス応答は、タイミングアドバンスコマンド、ワイヤレス端末に対する一時識別、および／またはメッセージ３アップリンク通信に対する変調符号化方式をさらに含むことができる。
【００２１】
ランダムアクセスプリアンブルを受信することは、物理ランダムアクセスチャネルを介してランダムアクセスプリアンブルを受信することを含むことができる、および／または、ランダムアクセス応答を送信することは、物理ダウンリンク共有チャネルを介してランダムアクセス応答を送信することを含むことができる。
【００２２】
発明概念のさらに他の実施形態によると、ワイヤレス端末は、ワイヤレス端末から無線アクセスネットワークのノードへランダムアクセス手順のランダムアクセスプリアンブルを送信するように適合されてよい。ワイヤレス端末はまた、ランダムアクセスプリアンブルを送信後に無線アクセスネットワークのノードからランダムアクセス手順のランダムアクセス応答を受信するように適合されてよい。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含み、時間領域構成は、メッセージ３アップリンク通信のサブフレームにわたる繰り返し回数を規定する繰り返し因数、および／またはメッセージ３アップリンク通信の送信時間間隔情報を含むことができる。
【００２３】
発明概念のなおさらなる他の実施形態によると、ワイヤレス端末は、無線アクセスネットワークのノードとのワイヤレス通信を提供するように構成されるトランシーバと、トランシーバと連結されるプロセッサとを含むことができる。プロセッサは、トランシーバを通してノードに対する通信の送信および／または受信を行うように構成されてよい。プロセッサは、無線アクセスネットワークのノードにトランシーバを通してランダムアクセス手順のランダムアクセスプリアンブルを送信するようにさらに構成されてよい。プロセッサは、ランダムアクセスプリアンブルを送信後にトランシーバを通して無線アクセスネットワークのノードからランダムアクセス手順のランダムアクセス応答を受信するように構成されてもよい。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができ、時間領域構成は、メッセージ３アップリンク通信のサブフレームにわたる繰り返し回数を規定する繰り返し因数、および／またはメッセージ３アップリンク通信の送信時間間隔情報を含むことができる。
【００２４】
発明概念のさらなる実施形態によると、ワイヤレス端末は、ワイヤレス端末から無線アクセスネットワークのノードへランダムアクセス手順のランダムアクセスプリアンブルを送信するように適合されるランダムアクセスプリアンブル送信モジュールを含むことができる。ワイヤレス端末は、ランダムアクセスプリアンブルの送信後に、無線アクセスネットワークのノードからランダムアクセス手順のランダムアクセス応答を受信するように適合されるランダムアクセス応答受信モジュールを含むこともできる。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができる。時間領域構成は、メッセージ３アップリンク通信のサブフレームにわたる繰り返し回数を規定する繰り返し因数、および／またはメッセージ３アップリンク通信の送信時間間隔情報を含むことができる。
【００２５】
発明概念のまたさらなる実施形態によると、無線アクセスネットワークのノードは、ワイヤレス端末からランダムアクセス手順のランダムアクセスプリアンブルを受信するように適合されてよい。ノードは、ランダムアクセスプリアンブルの受信に応答して、ワイヤレス端末にランダムアクセス手順のランダムアクセス応答を送信するようにさらに適合されてよい。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができ、時間領域構成は、メッセージ３ＵＬ通信のサブフレームにわたる繰り返し回数を規定する繰り返し因数、またはメッセージ３ＵＬ通信の送信時間間隔情報を含むことができる。
【００２６】
発明概念のなおさらなる実施形態によると、ワイヤレス通信ネットワークのノードは、ノードのカバレッジエリアにおける複数のワイヤレス端末とのワイヤレス通信を提供するように構成されるトランシーバと、トランシーバに連結されるプロセッサとを含むことができる。プロセッサは、トランシーバを通してワイヤレス端末に対する通信の送信および／または受信を行うように構成されてよい。プロセッサは、トランシーバを通してワイヤレス端末からランダムアクセス手順のランダムアクセスプリアンブルを受信するように構成されてよい。プロセッサは、ランダムアクセスプリアンブルの受信に応答してトランシーバを通してワイヤレス端末にランダムアクセス手順のランダムアクセス応答を送信するように構成されてもよい。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができ、時間領域構成は、メッセージ３ＵＬ通信のサブフレームにわたる繰り返し回数を規定する繰り返し因数、またはメッセージ３ＵＬ通信の送信時間間隔情報を含むことができる。
【００２７】
発明概念のさらに多くの実施形態によると、無線アクセスネットワークのノードは、ワイヤレス端末からランダムアクセス手順のランダムアクセスプリアンブルを受信するように適合されるランダムアクセスプリアンブル受信モジュールを含むことができる。ノードは、ランダムアクセスプリアンブルの受信に応答して、ワイヤレス端末にランダムアクセス手順のランダムアクセス応答を送信するように適合されるランダムアクセス応答送信モジュールを含むこともできる。ランダムアクセス応答は、ランダムアクセス手順のメッセージ３アップリンク通信に対するアップリンクグラントを含むことができる。ＵＬグラントは、メッセージ３アップリンク通信に関連付けられた時間領域構成を含むことができ、時間領域構成は、メッセージ３ＵＬ通信のサブフレームにわたる繰り返し回数を規定する繰り返し因数、またはメッセージ３ＵＬ通信の送信時間間隔情報を含むことができる。
【００２８】
発明概念のいくつかの実施形態は、このように、ＭＡＣランダムアクセス応答フォーマットを変更することなく、および／またはＵＬグラントサイズを拡大することなく、ＭＴＣデバイスに改善された通信を提供することができる。Ｍｓｇ３に対する繰り返し因数および／または時間／周波数位置を指示する柔軟性を提供することができる。さらに、位置および／または繰り返し因数情報は、Ｍｓｇ４がスケジューリング可能であるようにＭｓｇ４制御チャネルに対して提供可能である。
【００２９】
本開示をさらに理解してもらうために含まれ、および本願の一部に組み込まれかつこれを構成する添付の図面は、発明概念のある特定の非限定的な実施形態を示す。
【図面の簡単な説明】
【００３０】
【図１】発明概念のいくつかの実施形態に従って、ワイヤレス端末と通信する無線アクセスネットワークの基地局を示すブロック図である。
【図２】発明概念のいくつかの実施形態による図１の基地局を示すブロック図である。
【図３】発明概念のいくつかの実施形態による図１のワイヤレス端末を示すブロック図である。
【図４】基地局とワイヤレス端末との間の通信を示すメッセージ図である。
【図５】ランダムアクセス応答メッセージを示すブロック図である。
【図６】発明概念のいくつかの実施形態によるワイヤレス端末の動作を示すフローチャートである。
【図７】発明概念のいくつかの実施形態に従って、図６の動作に対応するメモリモジュールを示すブロック図である。
【図８】発明概念のいくつかの実施形態によるネットワークノードの動作を示すフローチャートである。
【図９】発明概念のいくつかの実施形態に従って、図８の動作に対応するメモリモジュールを示すブロック図である。
【発明を実施するための形態】
【００３１】
発明概念は、ここで、添付の図面を参照して以降でより詳しく説明され、発明概念の実施形態の例が示される。しかしながら、発明概念は、多くの種々の形態で具現化可能であり、本明細書に示される実施形態に限定されると解釈されるべきではない。もっと正確に言えば、これらの実施形態は、本開示が綿密かつ完全となるように提供され、発明概念の範囲を当業者に十分伝達するものとなる。また、これらの実施形態が相互に排他的でないことは留意されるべきである。１つの実施形態による構成要素は、別の実施形態において存在する／使用されると暗黙的に想定される場合がある。
【００３２】
例示および説明の目的のためだけに、発明概念のこれらのおよび他の実施形態は、ワイヤレス端末（ＵＥとも称される）と無線通信チャネル上で通信するＲＡＮ（無線アクセスネットワーク）において動作するという文脈の中で本明細書において説明される。しかしながら、該発明概念が、かかる実施形態に限定されるものではなく、一般的に任意のタイプの通信ネットワークにおいて具現化可能であることは理解されるであろう。本明細書で使用されるように、レガシまたは非レガシワイヤレス端末（ＵＥ、ユーザ機器、ノード、モバイル端末などとも称される）は、通信ネットワークに対するデータの受信および／または送信を行う任意のデバイスを含むことができ、携帯電話（「セルラー」電話）、ラップトップ／ポータブルコンピュータ、ポケットコンピュータ、ハンドヘルドコンピュータ、および／またはデスクトップコンピュータを含むことができるが、これらに限定されない。
【００３３】
３ＧＰＰ（第３世代パートナーシッププロジェクト）ＬＴＥ（Ｌｏｎｇ−Ｔｅｒｍ  Ｅｖｏｌｕｔｉｏｎ）による専門用語が、発明概念の実施形態の例を提供するために本開示において使用されているが、このことは、発明概念の範囲を前述のシステムのみに限定するとして理解されるべきではないことは留意されたい。ＷＣＤＭＡ、ＷｉＭａｘ、ＵＭＢ、およびＧＳＭを含む他のワイヤレスシステムも、本開示内に包含される着想／概念を活用することによって利益を得ることができる。
【００３４】
また、基地局（ｅＮｏｄｅＢ、ｅＮＢなどとも称される）およびワイヤレス端末（移動局、モバイル端末、ＵＥなどとも称される）は、非限定的であると考えられるべきであり、この２つの間におけるある特定の階層関係を暗示しないことは留意されたい。一般に、基地局または「ｅＮｏｄｅＢ」は第１のデバイスと考えられる可能性があり、ワイヤレス端末または「ＵＥ」は第２のデバイスと考えられる可能性があり、これらの２つのデバイスはある無線チャネル上で互いに通信することができる。
【００３５】
図１は、本発明概念のいくつかの実施形態による無線アクセスネットワーク（ＲＡＮ）を示すブロック図である。示されるように、複数の基地局ＢＳ−ａ、ＢＳ−ｂ、およびＢＳ−ｃの間の通信は各Ｘ２インターフェースを使用して提供されてよく、基地局と１つまたは複数のコアネットワークノードＭＭＥ／Ｓ−ＧＷとの間の通信は対応するＳ１インターフェースを使用して提供されてよい。それぞれの基地局ＢＳは、基地局によってサポートされる対応するセルにおいて対応するワイヤレス端末ＵＥと（アップリンクおよびダウンリンクを含む）ワイヤレス無線インターフェース上で通信することができる。例として、基地局ＢＳ−ａはワイヤレス端末ＵＥ−ａ、ＵＥ−ｂ、およびＵＥ−ｇと通信していると示され、基地局ＢＳ−ｂはワイヤレス端末ＵＥ−ｃおよびＵＥ−ｄと通信していると示され、基地局ＢＳ−ｃはワイヤレス端末ＵＥ−ｅおよびＵＥ−ｆと通信していると示される。
【００３６】
図２は、図１の基地局ＢＳ（ｅＮＢ、ｅＮｏｄｅＢ、エボルブドＮｏｄｅＢ、無線基地局、ＲＡＮノードなどとも称される）のエレメントを示すブロック図である。示されるように、基地局ＢＳは、複数のワイヤレス端末との無線通信を提供するように構成されるトランシーバ回路２０１（トランシーバとも称される）と、（例えば、Ｘ２インターフェース上で）ＲＡＮの他の基地局との通信を提供するように構成されるネットワークインターフェース回路２０５（ネットワークインターフェースとも称される）と、トランシーバ回路およびネットワークインターフェース回路に連結されるプロセッサ回路２０３（プロセッサとも称される）と、プロセッサ回路に連結されるメモリ回路２０７とを含むことができる。メモリ回路２０７は、プロセッサ回路２０３によって実行される時、プロセッサ回路に、本明細書に開示される実施形態による動作を行わせるコンピュータ可読プログラムコードを含むことができる。他の実施形態によると、プロセッサ回路２０３は、メモリ回路が別個に提供されないようなメモリを含むと規定されてよい。種々の基地局のエレメントが下記に論述される時、このエレメントは、エレメント番号（例えば、「２０１」、「２０３」、「２０５」、および「２０７」）の後に対応する文字（例えば、「−ａ」、「−ｂ」など）を付けることによって区別可能である。例えば、図１の基地局ＢＳ−ａは、トランシーバ２０１−ａ、プロセッサ２０３−ａ、ネットワークインターフェース２０５−ａ、およびメモリ２０７−ａを含むことができ、図１の基地局ＢＳ−ｂは、トランシーバ２０１−ｂ、プロセッサ２０３−ｂ、ネットワークインターフェース２０５−ｂ、およびメモリ２０７−ｂを含むことができる。
【００３７】
図３は、図１のワイヤレス端末ＵＥ（モバイル端末、移動局、ＵＥ、ユーザ機器、ユーザ機器ノードなどとも称される）のエレメントを示すブロック図である。示されるように、ワイヤレス端末ＵＥは、基地局ＢＳとの無線通信を提供するように構成されるトランシーバ回路３０１（トランシーバとも称される）と、トランシーバ回路に連結されるプロセッサ回路３０３（プロセッサとも称される）と、プロセッサ回路に連結されるメモリ回路３０７とを含むことができる。メモリ回路３０７は、プロセッサ回路４０３によって実行される時、プロセッサ回路に、本明細書に開示される実施形態による動作を行わせるコンピュータ可読プログラムコードを含むことができる。他の実施形態によると、プロセッサ回路３０３は、メモリ回路が別個に提供されないようなメモリを含むと規定されてよい。種々のワイヤレス端末のエレメントが以下に論述される時、このエレメントは、エレメント番号（例えば、「３０１」、「３０３」、および「３０５」）の後に対応する文字（例えば、「−ａ」、「−ｂ」など）を付けることによって区別可能である。例えば、図１のワイヤレス端末ＵＥ−ａは、トランシーバ３０１−ａ、プロセッサ３０３−ａ、およびメモリ３０７−ａを含むことができ、図１のワイヤレス端末ＵＥ−ｂは、トランシーバ３０１−ｂ、プロセッサ３０３−ｂ、およびメモリ３０７−ｂを含むことができる。
【００３８】
図４は、競合ベースランダムアクセス手順についてワイヤレス端末ＵＥと基地局ＢＳとの間で送信されるメッセージを示すメッセージ図である。このようなランダムアクセス手順は、例えば、ワイヤレス端末ＵＥが、ＲＲＣ（無線リソース制御）接続の前に取り付け開始されるように開始されてよい。動作４０１におけるランダムアクセス手順中、ワイヤレス端末ＵＥのプロセッサ３０３は、物理ランダムアクセスチャネル（ＰＲＡＣＨ）を使用してトランシーバ３０１を通してランダムアクセスプリアンブル（Ｍｓｇ１）を送信することができる。ワイヤレス端末ＵＥのプロセッサ３０３は、利用可能なランダムアクセスプリアンブルのセットからランダムアクセスプリアンブルをランダムに選択できる。さらに、ワイヤレス端末ＵＥのプロセッサ３０３は、いずれの以前の割り当てがなくてもランダムアクセスプリアンブルを送信できる。
【００３９】
トランシーバ２０１を通した動作４０１におけるランダムアクセスプリアンブルの受信に応答して、基地局ＢＳのプロセッサ２０３は、動作４０２においてトランシーバ２０１を通してランダムアクセス応答ＲＡＲ（Ｍｓｇ２）を送信可能である。より詳細には、ランダムアクセス応答ＲＡＲは、ワイヤレス端末ＵＥによって送信される後続のメッセージ３に対するアップリンクグラントを含むことができる。トランシーバ３０１を通した動作４０２のメッセージ４の受信に応答して、ワイヤレス端末ＵＥのプロセッサ３０３は、動作４０２のＲＡＲにおいて指示されるアップリンクグラントを使用して、動作４０３においてトランシーバ３０１を通してメッセージ３（例えば、ＲＲＣ接続リクエスト）を送信できる。トランシーバ２０１を通した動作４０３のメッセージ３の受信に応答して、基地局ＢＳのプロセッサ２０３は、競合解消をもたらすために、および／または後続のアップリンクグラントを提供するために、動作４０４においてトランシーバ２０１を通してメッセージ４を送信できる。
【００４０】
以下でより詳細に論述されるように、動作４０２のＲＡＲのフォーマットは種々のタイプのワイヤレス端末に対して異なっていてよい。従来のモバイルワイヤレス端末ＵＥ（例えば、セルラー方式無線電話、スマートフォン、タブレットコンピュータ、ラップトップコンピュータなど）について、動作４０２のＲＡＲは、動作４０３のアップリンクメッセージ３の繰り返し情報を含むことなく、および／または動作４０４のダウンリンクメッセージ４に関する情報を含むことなく、動作４０３の後続のアップリンクメッセージ３のアップリンクグラント情報を含むことができる。対照的に、ＭＴＣ（マシン型通信）ワイヤレス端末ＵＥについての動作４０２のＲＡＲは、動作４０３のアップリンクメッセージ３の繰り返し情報、および／または動作４０４の後続のダウンリンクメッセージ４のダウンリンクグラント情報を含むことができる。
【００４１】
ＬＴＥ（Ｌｏｎｇ  Ｔｅｒｍ  Ｅｖｏｌｕｔｉｏｎ）におけるランダムアクセス手順中、ワイヤレス端末ＵＥが、最初のＰＲＡＣＨ（物理ランダムアクセスチャネル）プリアンブルを送り（動作４０１）、かつ基地局ＢＳからランダムアクセス応答（ＲＡＲ）を受信した（動作４０２）後、ワイヤレス端末ＵＥは、無線リソース制御（ＲＲＣ）接続リクエストなど、上位レイヤーからのメッセージを含有することができるＭｓｇ３を動作４０３において送る。Ｍｓｇ３は、図５に示されるように、ＲＡＲメッセージ（例えば、媒体アクセス制御ＲＡＲメッセージ）に含まれるアップリンク（ＵＬ）グラントを使用してスケジューリングされる（３ＧＰＰ  ＴＳ３６．３２１、「Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ、Ｒｅｌｅａｓｅ  １２」、Ｖ１２．５．０、２０１５年３月を参照）。従来のワイヤレス端末ＵＥ（例えば、セルラー方式無線電話、スマートフォン、タブレットコンピュータ、ラップトップコンピュータなど）によって、Ｍｓｇ４は、制御チャネル（物理ダウンリンク制御チャネルまたはＰＤＣＣＨ）上でダウンリンク割り当てを送ることによって、通常のダウンリンク送信としてスケジューリングされてよい。
【００４２】
以下で論述される例では、基地局ＢＳ−ａは、ワイヤレス端末ＵＥ−ａ、ＵＥ−ｂ、およびＵＥ−ｇにワイヤレス通信を提供することができ、ワイヤレス端末ＵＥ−ａおよびＵＥ−ｇはＭＴＣワイヤレス端末であってよく、ワイヤレス端末ＵＥ−ｂは従来のワイヤレス端末であってよい。それ故に、ワイヤレス端末ＵＥ−ａおよびＵＥ−ｇに対するランダムアクセス手順は、ワイヤレス端末ＵＥ−ｂに対するランダムアクセス手順と異なっていてよい。
【００４３】
図５に示されるように、従来のワイヤレス端末ＵＥ−ｂに対するＲＡＲは、予約ビットＲ、タイミングアドバンスコマンド（１１ビット）、動作４０３のメッセージ３に対するアップリンク（ＵＬ）グラント（２０ビット）、およびワイヤレス端末ＵＥ−ｂに対する一時識別（例えば、Ｃ−ＲＮＴＩまたはセル無線ネットワーク一時識別子）（１６ビット）を含むことができる。図５の（動作４０３のメッセージ３に対する）ＵＬグラントは、ＴＳ３６．２１３（３ＧＰＰ  ＴＳ３６．２１３、「Ｐｈｙｓｉｃａｌ  ｌａｙｅｒ  ｐｒｏｃｅｄｕｒｅｓ」、Ｒｅｌｅａｓｅ  １２、Ｖ１２．０．０、２０１３年１２月を参照）に指定される場合があり、下記の構造を有することができる。
−  ホッピングフラグ−１ビット
−  固定サイズのリソースブロックアサインメント−１０ビット
−  トランケートされる変調符号化方式−４ビット
−  スケジューリングされたＰＵＳＣＨのためのＴＰＣコマンド−３ビット
−  ＵＬ遅延−１ビット
−  ＣＳＩ（チャネル状態情報）リクエスト−１ビット
よって、ＲＡＲにおいて使用されるＵＬグラントの全サイズは２０ビットとすることができる。
【００４４】
ＭＴＣ（マシン型通信）ワイヤレスデバイスＵＥに対する３ＧＰＰ  Ｒｅｌ−１３において、ランダムアクセス手順は低複雑性ワイヤレス端末ＵＥ、および、（例えば、ＵＥが地下室などのディープカバレッジにある状況で）カバレッジ拡張を必要とする／使用するワイヤレス端末ＵＥに対して指定されてよい。種々の方法は、カバレッジ拡張を得るために使用されてよく、この場合、現行のＬＴＥ手順に対する効果はさまざまなチャネルの繰り返し時間から生じる場合がある。他の言葉で述べると、１つのＴＴＩ（送信時間間隔）に含まれるデータは、時間内に繰り返されてよく、そのため、受信者は、送信のカバレッジを拡張させるためにより長期間にわたってエネルギーを蓄積することができる。
【００４５】
ランダムアクセス手順について、カバレッジ拡張は、メッセージのそれぞれを送るのにかかる時間を拡大することを意味することができる（例えば、ＰＲＡＣＨプリアンブル、ＲＡＲ、Ｍｓｇ３、およびＭｓｇ４、ならびに該当する場合、関連した制御チャネル）。メッセージ（データおよび制御両方）の種々の繰り返し因数およびメッセージの位置は、ＭＴＣワイヤレス端末ＵＥ−ａおよび基地局ＢＳ−ａが互いに通信でき、かつランダムアクセス手順を完了できるような１つのやり方または別のやり方でシグナリングされるまたは判断される必要がある場合がある。かかる繰り返しは必要でない場合があるが、ワイヤレス端末ＵＥ−ｂなどの非ＭＴＣワイヤレス端末に対しては（セルラー方式無線電話、スマートフォン、タブレットコンピュータ、ラップトップコンピュータなどの従来のワイヤレス端末に対しては）必要とされる場合がある。
【００４６】
（動作４０３の）メッセージ３に対する、時間ドメインコンフィグレーション（時間領域構成）および周波数ドメインコンフィグレーション（周波数領域構成）は、ＭＴＣワイヤレス端末ＵＥ−ａによって判断される必要がある場合があるが、これは、図５のＲＡＲなどの現行のシステム／仕様に含まれない場合がある。
【００４７】
Ｍｓｇ４についての制御チャネル（例えば、Ｍ−ＰＤＣＣＨ）に対する時間領域構成および周波数領域構成も提供／判断の必要がある場合がある。図５のＭｓｇ３に対するＵＬ（アップリンク）グラントにおける現行のＭＣＳ（変調符号化方式）フィールドは、繰り返し因数および／または位置を適正に提供するのに十分な大きさでない場合がある。本明細書で使用されるように、繰り返し因数は、メッセージを送信するために使用される種々の時間リソースの数に言及し、位置は、メッセージを送信するために使用される時間／周波数リソースに言及することができる。例えば、位置は、メッセージの１回の繰り返しを送信するために使用される時間および周波数リソースに言及することができ、繰り返し因数は、メッセージが送信／再送信されるサブフレームの数に言及することができる。
【００４８】
発明概念のいくつかの実施形態によると、Ｍｓｇ３に対するＵＬグラントコンテンツは、メッセージサイズが拡大される必要なく、かつ同じＭＡＣ  ＲＡＲフォーマットがカバレッジ拡張および／または低複雑性Ｒｅｌ−１３ＵＥに対して再利用可能であるやり方で、ＭＴＣワイヤレス端末ＵＥ−ａおよびＵＥ−ｇについて修正されてよい。現行のメッセージフィールドの一部分は、Ｍｓｇ３に対する繰り返し因数を指示することによって再利用可能である。また、Ｍｓｇ３送信の位置（狭帯域）は、ＵＬグラントに含まれてよい。さらに、Ｍｓｇ４についての制御チャネル（例えば、Ｍ−ＰＤＣＣＨ）に対する位置および繰り返し因数は、ＵＬグラントに含まれてよい。
【００４９】
発明概念のいくつかの実施形態によると、ＭＡＣ（媒体アクセス制御）ＲＡＲ（ランダムアクセス応答）の一般的な構造／フォーマットは、ＭＴＣワイヤレスデバイスに対して変更される必要がない場合があり、ＵＬグラントサイズは拡大される必要がない場合がある。代わりに、ＲＡＲのＵＬグラントフィールドは、ＲＡＲの一般的な構造／フォーマットを大幅に変更することなく、ＭＴＣワイヤレスデバイスに対して異なって使用されてよい。よって、基地局は、ＲＡＲを介してＭｓｇ３に対する時間領域構成および周波数領域構成を指示する柔軟性を有することができる。
【００５０】
時間領域構成は、（動作４０３の）メッセージ３に対する繰り返し因数を含むことができる。ここで、「繰り返し」は、所与のトランスポートブロック（ＴＢ）のコードビットを繰り返し送信することに言及する。１つの実施形態では、「繰り返し」は同じコードビットの単純な繰り返しであってよい。代替的には、「繰り返し」は、所与のトランスポートブロックに関連付けられる、いくつかの異なるコードビットのセットを送信することであってよい。
【００５１】
時間領域構成は、アップリンクでのメッセージ３送信に対する送信時間間隔（ＴＴＩ）フィールドをさらに含むことができる。ＴＴＩフィールドは、ＴＢのコードビットのセットがマッピングされるＵＬサブフレームの数についての情報を含有する。（レガシＬＴＥシステムにおけるような）１つの代替策では、ＴＴＩは１つのサブフレーム、すなわち、１ミリ秒である。（狭帯域ＩｏＴシステムにおけるような）別の代替策では、ＴＴＩ（すなわち、拡大されたＴＴＩ）は、複数のサブフレームで構成される。拡大されたＴＴＩにおける典型的な値は、６サブフレームで構成されてよい。２つの可能なＴＴＩのみがシステムにおいて規定される場合、ＴＴＩフィールドは、例えば、１ビットとすることができ、ＴＴＩフィールド＝０は、１サブフレームのＴＴＩを指示し、ＴＴＩフィールド＝１は６サブフレームのＴＴＩを指示する。一般に、Ｑの可能なＴＴＩがシステムにおいて規定される場合、ＴＴＩフィールドは、ｃｅｉｌ（ｌｏｇ２（Ｑ））のビットで構成される。
【００５２】
周波数領域構成は、メッセージ３アップリンク送信に対するＰＲＢリソースを指示するリソースブロックアサインメントを含むことができ、ここで、リソースブロックアサインメントは、（ａ）ＵＬ狭帯域インデックス、および（ｂ）狭帯域内のＰＲＢペアのセットを含む。周波数領域構成は、メッセージ３アップリンク送信の周波数ホッピング構成（周波数ホッピングコンフィグレーション）をさらに含むことができる。
【００５３】
１つの実施形態では、ＲＡＲによって提供される時間領域構成は、Ｍｓｇ３に対する繰り返し因数（および／またはＭｓｇ３の時間／周波数位置）、および、ＭＴＣワイヤレス端末に対するランダムアクセス手順中のＭｓｇ３の可能な再送信をスケジューリングする制御チャネル（例えば、Ｍ−ＰＤＣＣＨ）に対する繰り返し因数を含有する。制御チャネルの位置および繰り返し因数は、メッセージ４がスケジューリング可能であるようにメッセージ４に対して提供されてもよい。このことは、制御チャネルに対するＵＥ固有探索空間を初期化するとして理解可能である。
【００５４】
ランダムアクセス手順中に（動作４０３の）メッセージ３を送る前に、ＭＴＣワイヤレス端末ＵＥは、少なくともＰＲＡＣＨプリアンブルを送信（動作４０１）しており、かつ、基地局ＢＳからＲＡＲを受信（動作４０４）している。ＰＲＡＣＨプリアンブルに対する繰り返し因数は、ＵＥカバレッジレベルに左右される場合があるが、ＲＡＲ繰り返し因数は使用されるＰＲＡＣＨリソースに基づくことができる。例えば、ＭＴＣワイヤレス端末は、このカバレッジレベルを、基地局からのダウンリンクシグナリングの推定に基づいて判断することができ、ＭＴＣワイヤレス端末は、判断されたカバレッジレベルに基づいてＰＲＡＣＨリソースを選択できる。いくつかの実施形態によると、ランダムアクセスプリアンブルの第１のセットは、（例えば、比較的少ない繰り返し回数に対して）第１の繰り返し因数を指示する（例えば、中品質のＤＬチャネルに対して）第１のカバレッジレベルに関連付けられてよく、ランダムアクセスプリアンブルの第２のセットは、（例えば、比較的多い繰り返し回数に対して）第２の繰り返し因数を指示する（例えば、低品質のＤＬチャネルに対して）第２のカバレッジレベルに関連付けられてよい。
【００５５】
発明概念のいくつかの実施形態によると、以下の情報エレメント：
エレメント１．Ｍｓｇ３を伝搬するＰＵＳＣＨの時間領域構成、
エレメント２．Ｍｓｇ３を伝搬するＰＵＳＣＨの周波数領域構成、
エレメント３．Ｍｓｇ４に対する制御チャネル（例えば、Ｍ−ＰＤＣＣＨ）の時間領域構成、
エレメント４．Ｍｓｇ４に対する制御チャネルの周波数領域構成
は、ＭＴＣワイヤレス端末に対するＲＡＲにおけるＵＬグラントに含まれてよい。以下の節では、ＭＴＣワイヤレス端末に対するＲＡＲにおけるＵＬグラントの上記のエレメント１〜４の可能な実装形態の例を提供する。
【００５６】
上記のように、エレメント１は、Ｍｓｇ３を伝搬するＰＵＳＣＨ（物理アップリンク共有チャネル）に対する繰り返し因数を含有することができる。Ｎビットが使用される場合、繰り返し因数の２Ｎの異なったレベルが構成可能である。
【００５７】
エレメント１によるいくつかの実施形態（エレメント１のオプション１）によると、繰り返し因数のレベルは、別のチャネルまたは信号の繰り返し回数を参照したオフセットであってよい。オフセットサイズは、（カバレッジレベルとも称される）ＣＥ（カバレッジ拡張）レベルの関数とすることができる。代替的な実施形態では、オフセット計算は全てのカバレッジレベルに対して同じであってよい。メッセージ３繰り返し因数に対する例ａ、ｂ、およびｃが以下に論述される。
ａ．１つの例では、メッセージ３繰り返し因数に対するオフセットは、（ランダムアクセスプリアンブルとも称される）ＰＲＡＣＨプリアンブルシーケンスの繰り返し回数を参照したオフセットであってよい。上で論述されるように、ＭＴＣワイヤレス端末は、ＤＬチャネル品質に基づいてＰＲＡＣＨプリアンブルを選択してよく、プリアンブルシーケンスの１つのセットは、シーケンスの第１の繰り返し回数に関連付けられてよく、プリアンブルシーケンスの第２のセットは、シーケンスの第２の繰り返し回数に関連付けられてよい。例えば、Ｎ＝２（２ビット）の場合、２２＝４の繰り返しオフセットは、ＰＲＡＣＨランダムアクセスプリアンブルの繰り返しレベルに対して提供可能である。オフセットサイズは、ＣＥ（カバレッジ拡張）レベルの関数とすることができる。例えば、（低品質のＤＬチャネルに対する）５ｄＢ≦ＣＥ＜１０ｄＢについて、オフセットは、ランダムアクセスプリアンブル繰り返し因数から減算またはこれに加算されて｛−８、−４、４、８｝とすることができる。（より低品質のＤＬチャネルに対する）１０ｄＢ≦ＣＥ＜１５ｄＢについて、オフセットは、ランダムアクセスプリアンブル繰り返し因数から減算またはこれに加算されて｛−１６、−８、８、１６｝とすることができる。（最低品質のＤＬチャネルに対する）１５ｄＢ≦ＣＥについて、オフセットは、ランダムアクセスプリアンブル繰り返し因数から減算またはこれに加算されて｛−３２、−１６、１６、３２｝とすることができる。
ｂ．別の例では、オフセットは、ＲＡＲ送信に対するＭ−ＰＤＣＣＨの繰り返し回数を参照したオフセットとすることができる。
ｃ．別の例では、オフセットは、ＲＡＲ送信を伝搬するＰＤＳＣＨ（物理ダウンリンク共有チャネル）の繰り返し回数を参照したオフセットとすることができる。
【００５８】
エレメント１によるいくつかの他の実施形態（エレメント１のオプション２）によると、ＰＵＳＣＨ繰り返しレベルのセットは、複数のカバレッジレベルに対して可能である複数の種々のセットと共に、所与のカバレッジ拡張レベルに対して規定されてよい。Ｎビットが使用される場合、１セットは繰り返し因数の２Ｎの異なったレベルを含有することができる。設定されたエレメント１がどれを指し示すかは、カバレッジ拡張（ＣＥ）レベルに左右される場合がある。上で論述されるように、カバレッジ拡張レベルは、低品質のＤＬチャネルに対して５ｄＢ≦ＣＥ＜１０ｄＢ、より低品質のＤＬチャネルに対して１０ｄＢ≦ＣＥ＜１５ＤＢ、および、（最低品質のＤＬチャネルに対して）１５ｄＢ≦ＣＥと規定されてよい。Ｎ＝２の低品質のＤＬチャネル（５ｄＢ≦ＣＥ＜１０ｄＢ）について、メッセージ３は、繰り返し因数に等しい回数（例えば、１、２、３、または４回）再送信されてよい。Ｎ＝２のより低品質のＤＬチャネル（１０ｄＢ≦ＣＥ＜１５ｄＢ）について、メッセージ３は、Ｎ２を加えた繰り返し因数に等しい回数（例えば、５、６、７、または８回）再送信されてよい。Ｎ＝２の最低品質のＤＬチャネル（１５ｄＢ≦ＣＥ）について、メッセージ３は、２Ｎ２を加えた繰り返し因数に等しい回数（例えば、９、１０、１１、または１２回）再送信されてよい。他の言葉で述べると、Ｎ＝４である場合、４つの異なる繰り返し因数は利用可能であり、繰り返し因数は、カバレッジ拡張レベルに基づいて開始点に対するオフセットとして使用されてよい。
【００５９】
エレメント１によるさらに他の実施形態（エレメント１のオプション３）によると、繰り返し因数はある数字（例えば、ベース２）として直接シグナリングされてよい。この数字は、繰り返し値間の連続番号として、またはオフセットまたは整数ステップを有するとして、「通常は」解釈できる。これらの実施形態には、より多くの使用されるべきビットが必要である場合がある（例えば、１２８の異なるレベルをシグナリングするために７ビットを必要とされる場合がある）。１つの代替策では、シグナリング数は、（ステップ１にあるように）現行のカバレッジ拡張レベルに左右されて異なって解釈されてよい。
【００６０】
エレメント１は、ＰＵＳＣＨを伝搬するＵＬサブフレームのセットの中の開始サブフレームをさらに含有することができる。
【００６１】
エレメント１は、アップリンクにおけるメッセージ３送信の送信時間間隔（ＴＴＩ）フィールドをさらに含有することができる。ＰＵＳＣＨのメッセージ３が、ＴＴＩ＝ＱのサブフレームおよびＲの繰り返しで構成される場合、ＰＵＳＣＨのメッセージ３の１送信はＱ＊Ｒサブフレームを要する。
【００６２】
上記のように、エレメント２は、Ｍｓｇ３のＰＵＳＣＨに対する周波数領域構成である。使用される狭帯域（例えば、使用されるサブフレーム内の時間および周波数の６物理リソースブロックＰＲＢの識別）は、最初に指示されてよく、その狭帯域内のＰＵＳＣＨの位置（例えば、６ＰＲＢのどのサブセットか）は、次に指示されてよい。例ａおよびｂが以下に論述される。
ａ．狭帯域サイズが、１００ＰＲＢのＵＬシステムＢＷ帯域幅最大値のシステムにおける６物理リソースブロック（ＰＲＢ）である時、狭帯域インデックスはｌｏｇ２（ｆｌｏｏｒ（１００／６））＝４ビットでシグナリングされてよい。
ｂ．全リソース割り当て柔軟性が許容される場合、これには
2020115652.tif 000003
が必要である場合がある。しかしながら、不必要なリソース割り当て柔軟性（例えば、｛１、２、３、６｝ＰＲＢを占めるＰＵＳＣＨのみ許容する、すなわち、｛４、５｝ＰＲＢを除去する）場合、この一部は４ビットに低減可能である。他の言葉で述べると、｛１、２、３、４、５、６｝ＰＲＢに対する全リソース割り当ては、６ＰＲＢの中から１つ、６ＰＲＢの中から２つ、６ＰＲＢの中から３つ、６ＰＲＢの中から４つ、６ＰＲＢの中から５つ、または６ＰＲＢの中から６つの選択を可能にすることができる。｛１、２、３、６｝の低減した選択は、６ＰＲＢの中から１つ、６ＰＲＢの中から２つ、６ＰＲＢの中から３つ、または６ＰＲＢの中から６つの選択を可能にすることができる。
【００６３】
上記のように、エレメント３は、Ｍｓｇ４に対する制御チャネル（例えば、Ｍ−ＰＤＣＣＨ）の時間領域構成である。
【００６４】
エレメント３によるいくつかの実施形態（エレメント３のオプション１）によると、エレメント３は、Ｍｓｇ４のＭ−ＰＤＣＣＨが（ＰＲＡＣＨプリアンブル、ＲＡＲ、またはＲＡＲのＭ−ＰＤＣＣＨなど）別のチャネルの繰り返し因数を再利用する場合、０ビットとすることができる。これによって、いくつかの他のフィールドに対してＭビットを残すことができる。例えば、ＴＰＣ（送信電力制御）コマンドに対してＭ＝２ビットである。例ａおよびｂについて以下に論述される。
ａ．例えば、Ｍｓｇ４のＭ−ＰＤＣＣＨは、実際の繰り返し回数をＲＡＲのＭ−ＰＤＣＣＨとして再利用するように規定されてよい。この場合、Ｒ（メッセージ４が送信される／再送信されるサブフレーム数）のブラインド復号は必要でない場合がある。
ｂ．別の例では、Ｍｓｇ４のＭ−ＰＤＣＣＨの（Ｌ、Ｒ）探索空間はＲＡＲのＭ−ＰＤＣＣＨと同じ（Ｌ、Ｒ）探索空間構成を再利用するように規定されてよい。この場合、可能なＲ値のセットは再利用可能であるが、ブラインド復号は依然、ＵＥが、どのＲ値が実際に使用されるのかを知るために必要である場合がある。ここで、ＬはＭ−ＰＤＣＣＨのＥＣＣＥ（拡張制御チャネルエレメント）アグリゲーションレベルを表し、Ｒはサブフレームにわたる繰り返し回数を表す。（Ｌ、Ｒ）のセットは、Ｍ−ＰＤＣＣＨの探索空間構成に関連付けられる。他の言葉で述べると、Ｌはメッセージ４のＭ−ＰＤＣＣＨに対するサブフレーム内の時間／周波数リソースを表し、Ｒはメッセージ４のＭ−ＰＤＣＣＨが送信される／再送信されるサブフレーム数を表す。
【００６５】
エレメント３によるいくつかの他の実施形態（エレメント３のオプション２）によると、エレメント３は、再利用の必要がないようにＭビットを要することができる。エレメント１と同様に、以下で論述されるように、エレメント３について複数のオプションが存在する。
ａ．１つの例では、エレメント３は、ＲＡＲのＭ−ＰＤＣＣＨに使用される実際の繰り返し回数に対して２Ｍ繰り返しオフセットを提供するように、Ｍビットを要する。この場合、Ｒ値は、不明確さなくエレメント１を介して提供され、Ｒのブラインド復号は必要ない。
ｂ．別の例では、Ｍ−ＰＤＣＣＨ繰り返しレベルのセットは、複数のカバレッジレベルに対して可能な複数の種々のセットと共に、所与のカバレッジ拡張レベルに対して規定される。典型的なケースは、Ｒ値の４つの異なるセットがそれぞれ、４つの異なるＣＥレベルに対して規定されることであり、このＣＥレベルはカバレッジ拡張の、０ｄＢ（例えば、０ｄＢ≦ＣＥ＜５ｄＢ）、５ｄＢ（例えば、５ｄＢ≦ＣＥ＜１０ｄＢ）、１０ｄＢ（例えば、１０ｄＢ≦ＣＥ＜１５ｄＢ）、および１５ｄＢ（例えば、１５ｄＢ≦ＣＥ）（または別の同様のセット）に対応する。この場合、可能なＲ値のセットは、４セットの中のエレメント３（２ビット）によって指示されてよいが、ブラインド復号は依然、ＵＥが、どのＲ値が指示されたセット内で実際に使用されるのかを知るために必要である場合がある。エレメント３がインデックスする４セットは、Ｍｓｇ４のＭ−ＰＤＣＣＨに対して明示的に規定されない場合がある。例えば、共通の探索空間に対して規定される同じセットは、ここで再利用可能である。所与のセット内の異なるＲ値の数はＣＥレベルによって変動する場合がある。
ｃ．別の例では、繰り返し因数は、エレメント１のオプション２および３にあるように判断される。
【００６６】
上記のように、エレメント４はＭｓｇ４に対する制御チャネルの周波数領域構成である。
【００６７】
エレメント４によるいくつかの実施形態によると、エレメント４は正にＤＬ（ダウンリンク）狭帯域インデックス（すなわち、ＤＬ狭帯域内の物理リソースブロック（ＰＲＢ）位置情報がない）とすることができる。このことは、Ｍ−ＰＤＣＣＨのＰＲＢセットが常に固定数のＰＲＢ（例えば、狭帯域における６ＰＲＢの全て）であると想定する時に可能であってよい。エレメント２と同様に、エレメント４はＰ＝ｌｏｇ２ｆｌｏｏｒ（１００／６）＝４ビットを要することができる。通常は変動するアグリゲーションレベルの複数のＭ−ＰＤＣＣＨ候補があるため、実際のＭ−ＰＤＣＣＨは６ＰＲＢにおける全てのリソースエレメントを使用しない場合があり、２つ以上のＭ−ＰＤＣＣＨが同じＰＲＢペアのセット上で多重化してよいことは留意されたい。
【００６８】
上で論述される例によると、エレメント１〜４は１４〜１６ビットを要してよく、これによって、（例えば、変調符号化方式（ＭＣＳ）に対して）ＵＬグラントにおける残りの情報のために４〜６ビットを残すことができる。いくつかの実施形態によるカバレッジ拡張動作に対して、他の情報が必要なくなる可能性がある。
【００６９】
上で論述された実施形態における数が例として提供されていることは留意されるべきである。さらに、フィールドのサイズは、ＵＬグラントに余地がある場合、例えば、可能な繰り返しオフセットの数を増大させるように修正されてよい。ＵＬグラントの全サイズは、２０ビット未満に限定されてよいが、現行のＭＡＣ  ＲＡＲフォーマットに適合させ続けるようにしてよい。
【００７０】
Ｍｓｇ４は通常のＵＥ固有ダウンリンク送信としてスケジューリングされるため、上記のエレメント３および４はＭ−ＰＤＣＣＨに対するＵＥ固有探索空間を初期化する情報として理解可能である。これは、他の状況では、ＵＥが、Ｍ−ＰＤＣＣＨ、ひいてはＭｓｇ４のスケジューリング情報（例えば、位置、繰り返し）をどのようにして見つけるかを知らない場合があるため、重大なステップとすることができる。エレメント３および４によって提供されるＵＥ固有探索空間は、ＲＲＣシグナリングを介してより詳細なＭ−ＰＤＣＣＨ構成が提供されるまで、後続のＭ−ＰＤＣＣＨ送信に使用可能である。
【００７１】
可能な、Ｍｓｇ３のＨＡＲＱ（ハイブリッド自動再送要求）再送信が、通常のアップリンクメッセージと同じやり方でスケジューリング可能である場合、制御チャネルの時間／周波数位置、およびＭ−ＰＤＣＣＨ繰り返し因数を知る必要がある場合がある。１つの実施形態では、この構成はＭｓｇ４のＭ−ＰＤＣＣＨの構成と同じであってよい（エレメント３および４）。
【００７２】
いくつかの実施形態では、エレメント１〜４の一部のみが適用可能である。例えば、いくつかの実施形態では、エレメント３および４のみがＭ−ＰＤＣＣＨに対するＵＥ固有探索空間を構成するために使用され、Ｍｓｇ３スケジューリング情報などの他の情報は、他の手段によって（例えば、使用されるＰＲＡＣＨリソースセットによって）判断される。別の例では、エレメント１および２のみが適用されるが、Ｍ−ＰＤＣＣＨ探索空間は代替的な手段によって構成される。
【００７３】
上の論述は、ＭＡＣ  ＲＡＲメッセージフォーマットが図５に示されるようなものであるいくつかの実施形態に言及する。他の言葉で述べると、ＭＡＣ  ＲＡＲメッセージフォーマット／サイズは、現在展開されているシステムにおけるＭＡＣ  ＲＡＲメッセージフォーマットと同じおよび／または同様であってよい。さらなる実施形態では、ＲＡＲメッセージサイズは変更可能である。
【００７４】
ＲＡＲメッセージの一部／フィールドのいくつかが省略されるまたはこれらのサイズが縮小される場合、全メッセージサイズは縮小可能である。メッセージはレガシメッセージのサイズまで埋められる可能性がある、または、メッセージは、送信される時の無線リソースの消費を少なくするさらなる利点を提供することができるようなより短いメッセージとして送られてよい。メッセージサイズは、全サイズが８で除算可能であるように、依然バイトで整列させてよい。
【００７５】
いくつかの実施形態によると、一時的なＣ−ＲＮＴＩ（セル無線ネットワーク一時識別子）が全く使用されない場合、ＲＡＲメッセージは２オクテット短くすることができる。このメッセージは、全サイズまで埋められたより短いメッセージとして送られる、または、（例えば、ＵＬグラント部に対してより多くのビットを使用して）該メッセージの他部により多くのビットが使用される。いくつかの他の実施形態によると、上で提供されるいくつかのエレメントが省略される場合、ＵＬグラントおよび全メッセージサイズは縮小可能である。
【００７６】
代替的な実施形態では、上で提供されるエレメントの全てまたはいくつかはＭＡＣ  ＲＡＲメッセージフォーマットにおけるＵＬグラントに含まれてよいが、ＭＡＣ  ＲＡＲメッセージサイズはより大きくてよい（ＭＡＣヘッダなしのメッセージに対して６オクテット以上）。なおさらなる他の実施形態では、エレメントの一部はＭＡＣ  ＲＡＲメッセージに含まれてよいが、必ずしもメッセージのＵＬグラントに含まれなくてよい。
【００７７】
本明細書に開示されるいくつかの実施形態によると、既存のＭＡＣ  ＲＡＲおよびＵＬグラントフォーマットは、帯域幅が縮小した低複雑性およびカバレッジ拡張したＵＥに対するＭｓｇ３およびＭｓｇ４のスケジューリング情報を判断する／提供するために使用されてよい（ＬＴＥ  Ｒｅｌ−１３  ＭＴＣおよびカバレッジ拡張を参照）。ＵＬグラントのコンテンツは、ＭＡＣ  ＲＡＲサイズを同じままで維持することを目標に、上で論述される情報を含むように再規定されてよい。
【００７８】
ワイヤレス端末ＵＥの動作について、ここで、図６のフローチャートおよび図７のモジュールを参照して論述される。例えば、図７のモジュールは図３のワイヤレス端末メモリ３０７に記憶されてよく、これらのモジュールは、モジュールの命令がワイヤレス端末プロセッサ３０３によって実行される時、プロセッサ３０３が図６のフローチャートの各動作を行うような命令を与えることができる。
【００７９】
図１に示されるように、ワイヤレス端末ＵＥは、無線アクセスネットワークＲＡＮの基地局ＢＳとワイヤレスインターフェース上で通信することができる。図６のブロック６０１において、プロセッサ３０３は、（例えば、ランダムアクセスプリアンブル送信モジュール７０１の命令を使用して）ランダムアクセス手順のランダムアクセスプリアンブルをトランシーバ３０１を通してランダムアクセスネットワークＲＡＮのノードＢＳ−ａに送信することができる。ランダムアクセスプリアンブルを送信後、プロセッサは、（例えば、ＲＡＲ受信モジュール７０３を使用して）ブロック６０３においてトランシーバ３０１を通して無線アクセスネットワークのノードＢＳ−ａからランダムアクセス手順のランダムアクセス応答ＲＡＲを受信することができる。ランダムアクセス応答は、ランダムアクセス手順のメッセージ３アップリンク通信に対するアップリンクＵＬグラント、および、メッセージ３アップリンク通信に関連付けられた時間領域構成を含むことができる。また、時間領域構成は、（ａ）メッセージ３アップリンク通信のサブフレームにわたる繰り返し回数を規定する繰り返し因数、および／または、（ｂ）メッセージ３アップリンク通信の送信時間間隔ＴＴＩ情報を含むことができる。
【００８０】
ＵＬグラントは、メッセージ３アップリンク通信に関連付けられた周波数領域構成をさらに含むことができる。周波数領域構成は、メッセージ３アップリンク通信に対する物理リソースブロックＰＲＢリソースを指示するリソースブロックアサインメントであって、（ａ）ＵＬ狭帯域インデックス、および（ｂ）狭帯域内のＰＲＢペアのセットを含む、リソースブロックアサインメント、ならびに／またはメッセージ３アップリンク通信の周波数ホッピング構成を含むことができる。
【００８１】
ブロック６０５では、プロセッサ３０３は、（例えば、メッセージ３アップリンク通信送信モジュール７０５の命令を使用して）無線アクセスネットワークの基地局ＢＳ−ａへのトランシーバ３０１を通したメッセージ３アップリンク通信の送信を提供することが可能である。
【００８２】
いくつかの実施形態によると、ブロック６０３のランダムアクセス応答は、ランダムアクセス手順のメッセージ３アップリンク通信に対する繰り返し因数を含むことができる。かかる実施形態によると、プロセッサ３０３は、ブロック６０５においてトランシーバ３０１を通して無線アクセスネットワークのノードＢＳ−ａへメッセージ３アップリンク通信の送信繰り返し回数を提供することができ、送信繰り返し回数はメッセージ３アップリンク通信に対する繰り返し因数に基づく。送信繰り返し回数は、メッセージ３アップリンク通信に対する繰り返し因数、およびランダムアクセスプリアンブルの送信繰り返し回数に基づくことができる、ならびに／または送信繰り返し回数は、メッセージ３アップリンク通信に対する繰り返し因数、およびノードＢＳ−ａからワイヤレス端末ＵＥ−ａへのダウンリンクチャネルのカバレッジ拡張レベルに基づくことができる。送信繰り返し回数は、メッセージ３アップリンク通信に対する繰り返し因数、およびランダムアクセス応答の送信繰り返し回数に基づくことができる、ならびに／または、メッセージ３アップリンク通信に対する繰り返し因数、およびランダムアクセス応答の制御情報の送信繰り返し回数に基づくことができる。
【００８３】
いくつかの実施形態によると、ブロック６０３のランダムアクセス応答は、メッセージ３アップリンク通信に関連付けられた時間および／または周波数位置を規定する情報を含むことができる。かかる実施形態によると、プロセッサ３０３は、ランダムアクセス応答からの時間および／または周波数位置を規定する情報に基づいてブロック６０５においてメッセージ３アップリンク通信の送信を提供することが可能である。時間および／または周波数位置を規定する情報は、メッセージ３アップリンク通信のサブフレームにおいて時間および／または周波数位置を規定することができる。時間および／または周波数位置を規定する情報は、メッセージ３アップリンク送信を伝搬するサブフレームのセットの中の開始サブフレーム、メッセージ３アップリンク送信を伝搬するためのサブフレームにわたる繰り返し回数、メッセージ３アップリンク送信のサブフレームにおける周波数位置であって、狭帯域インデックスまたはＰＲＢペアインデックスによって提供される周波数位置、メッセージ３アップリンク送信によって占められるＰＲＢペアの数、メッセージ３アップリンク送信のリソースブロック割り当て情報、および／またはメッセージ３アップリンク送信の周波数ホッピング構成のうちの１つまたは複数を規定することができる。
【００８４】
さらに、ブロック６０３のランダムアクセス応答は、メッセージ４ダウンリンク通信に対する制御チャネルの構成情報を含むことができる。ブロック６０７では、プロセッサ３０３は、（例えば、制御チャネル受信モジュール７０７を使用して）トランシーバ３０１を通して構成情報に基づいてメッセージ４ダウンリンク通信に関連付けられた制御チャネルを受信することができる。ブロック６０９では、プロセッサ３０３は、（例えば、Ｍｓｇ４ダウンリンク通信受信モジュール７０９を使用して）制御チャネルに基づいてトランシーバ３０１を通してノードＢＳ−ａからメッセージ４ダウンリンク通信を受信することができる。構成情報は、メッセージ４ダウンリンク通信に関連付けられた制御チャネルを伝搬するサブフレームのセットの中の開始サブフレーム、制御チャネルを伝搬するためのサブフレームにわたる繰り返し回数、制御チャネルのサブフレームにおける周波数位置であって、狭帯域インデックスまたはＰＲＢペアインデックスによって提供される周波数位置、制御チャネルに使用されるＰＲＢペアの数、制御チャネルのリソースブロックアサインメント情報、および／または制御チャネルの周波数ホッピング構成のうちの１つまたは複数を提供する時間および／または周波数リソース定義を含む。
【００８５】
ブロック６０３のランダムアクセス応答は、タイミングアドバンスコマンド、およびワイヤレス端末に対する一時識別をさらに含むことができ、ＵＬグラントは、タイミングアドバンスコマンドと、ワイヤレス端末に対する一時識別との間に含まれてよい。ランダムアクセス応答は、６オクテットを含むことができ、タイミングアドバンスコマンドは、６オクテットの第１のオクテットの一部分、および６オクテットの第２のオクテットの一部分に含まれてよく、ＵＬグラントは、６オクテットの第２のオクテットの一部分、および６オクテットの第３および第４のオクテットに含まれてよく、ワイヤレス端末に対する一時識別は、６オクテットの第５および第６のオクテットに含まれてよい。
【００８６】
ブロック６０１においてランダムアクセスプリアンブルを送信することは、物理ランダムアクセスチャネルＰＲＡＣＨを介してランダムアクセスプリアンブルを送信することを含むことができる、および／または、ブロック６０３においてランダムアクセス応答を受信することは、物理ダウンリンク共有チャネルＰＤＳＣＨを介してランダムアクセス応答を受信することを含むことができる。
【００８７】
図６のさまざまな動作および／または図７のさまざまなモジュールは、ワイヤレス端末および関連した方法のいくつかの実施形態に関してオプションであってよい。例えば、（以下に示される）実施形態の例１の方法に関して、図６のブロック６０５、６０７、および６０９の動作はオプションであってよく、関連したワイヤレス端末に関して、図７のモジュール７０５、７０７、および７０９はオプションであってよい。
【００８８】
基地局ＢＳの動作について、ここで、図８のフローチャートおよび図９のモジュールを参照して論述される。例えば、図９のモジュールは、図２の基地局メモリ２０７に記憶されてよく、これらのモジュールは、モジュールの命令がワイヤレス端末プロセッサ２０３によって実行される時、プロセッサ２０３が図８のフローチャートの各動作を行うような命令を与えることができる。
【００８９】
図１に示されるように、無線アクセスネットワークＲＡＮの基地局ＢＳは、ワイヤレスインターフェース上で複数のワイヤレス端末と通信することができる。図８のブロック８０１において、プロセッサ２０３は、（例えば、ランダムアクセスプリアンブル受信モジュール９０１の命令を使用して）ランダムアクセス手順のランダムアクセスプリアンブルをトランシーバ２０１を通してワイヤレス端末ＵＥ−ａから受信することができる。ランダムアクセスプリアンブルの受信に応答して、プロセッサ２０３は、（例えば、ランダムアクセス応答送信モジュール９０３を使用して）ブロック８０３においてトランシーバ２０１を通してワイヤレス端末ＵＥ−ａにランダムアクセス手順のランダムアクセス応答ＲＡＲを送信することができる。ランダムアクセス応答は、ランダムアクセス手順のメッセージ３アップリンク通信に対するアップリンクＵＬグラントを含むことができ、ＵＬグラントは、メッセージ３アップリンク通信に関連付けられた時間領域構成を含むことができる。より詳細には、時間領域構成は、（ａ）メッセージ３ＵＬ通信のサブフレームにわたる繰り返し回数を規定する繰り返し因数、および／または（ｂ）メッセージ３ＵＬ通信の送信時間間隔ＴＴＩ情報を含むことができる。
【００９０】
ＵＬグラントは、メッセージ３アップリンク通信に関連付けられた周波数領域構成をさらに含むことができる。周波数領域構成は、メッセージ３アップリンク通信に対する物理リソースブロックＰＲＢリソースを指示するリソースブロックアサインメントであって、（ａ）ＵＬ狭帯域インデックス、および（ｂ）狭帯域内のＰＲＢペアのセットを含む、リソースブロックアサインメント、ならびに／またはメッセージ３アップリンク通信の周波数ホッピング構成を含むことができる。
【００９１】
ブロック８０５において、プロセッサ２０３は、（例えば、Ｍｓｇ３アップリンク通信受信モジュール９０５の命令を使用して）トランシーバ２０１を通してワイヤレス端末ＵＥ−ａからメッセージ３アップリンク通信を受信することができる。
【００９２】
いくつかの実施形態によると、ブロック８０３のランダムアクセス応答は、ランダムアクセス手順のメッセージ３アップリンク通信に対する繰り返し因数を含むことができる。ブロック８０５では、プロセッサ２０３は、トランシーバ２０１を通してワイヤレス端末ＵＥ−ａからメッセージ３アップリンク通信の送信繰り返し回数を受信することができ、この送信繰り返し回数はメッセージ３アップリンク通信に対する繰り返し因数に基づく。送信繰り返し回数は、メッセージ３アップリンク通信に対する繰り返し因数、およびランダムアクセスプリアンブルの送信繰り返し回数に基づくことができる、ならびに／または、送信繰り返し回数は、メッセージ３アップリンク通信に対する繰り返し因数、およびノードＢＳ−ａからワイヤレス端末ＵＥ−ａへのダウンリンクチャネルのカバレッジ拡張レベルに基づくことができる。
【００９３】
いくつかの実施形態によると、ブロック８０３のランダムアクセス応答は、メッセージ３アップリンク通信に関連付けられた時間および／または周波数位置を規定する情報を含むことができる。ブロック８０５において、プロセッサ２０３は、ランダムアクセス応答からの時間および／または周波数位置を規定する情報に基づいてメッセージ３アップリンク通信を受信することができる。時間および／または周波数位置を規定する情報は、メッセージ３アップリンク通信のサブフレームにおいて時間および／または周波数位置を規定することができる。時間および／または周波数位置を規定する情報は、メッセージ３アップリンク送信を伝搬するサブフレームのセットの中の開始サブフレーム、メッセージ３アップリンク送信を伝搬するためのサブフレームにわたる繰り返し回数、メッセージ３アップリンク送信のサブフレームにおける周波数位置であって、狭帯域インデックスまたはＰＲＢペアインデックスによって提供される周波数位置、メッセージ３アップリンク送信によって占められるＰＲＢペアの数、メッセージ３アップリンク送信のリソースブロック割り当て情報、および／またはメッセージ３アップリンク送信の周波数ホッピング構成のうちの１つまたは複数を規定することができる。
【００９４】
ブロック８０３のランダムアクセス応答は、メッセージ４ダウンリンク通信のための制御チャネルの構成情報を含むことができる。ブロック８０７において、プロセッサ２０３は、（例えば、制御チャネル送信モジュール９０７の命令を使用して）構成情報に基づいてメッセージ４ダウンリンク通信に関連付けられた制御チャネルをトランシーバ２０１を通してワイヤレス端末に送信可能である。ブロック８０９において、プロセッサ２０３は、（例えば、メッセージ４ダウンリンク通信送信モジュール９０９の命令を使用して）メッセージ４ダウンリンク通信を、制御チャネルに基づいてトランシーバ２０１を通してワイヤレス端末ＵＥ−ａに送信可能である。
【００９５】
構成情報は、メッセージ４ダウンリンク通信に関連付けられた制御チャネルを伝搬するサブフレームのセットの中の開始サブフレーム、制御チャネルを伝搬するためのサブフレームにわたる繰り返し回数、制御チャネルのサブフレームにおける周波数位置であって、狭帯域インデックスまたはＰＲＢペアインデックスによって提供される周波数位置、制御チャネルに使用されるＰＲＢペアの数、制御チャネルのリソースブロックアサインメント情報、および／または制御チャネルの周波数ホッピング構成のうちの１つまたは複数を提供する時間および／または周波数リソース定義を含むことができる。
【００９６】
ブロック８０３のランダムアクセス応答は、タイミングアドバンスコマンド、およびワイヤレス端末に対する一時識別をさらに含むことができ、ＵＬグラントは、タイミングアドバンスコマンドとワイヤレス端末に対する一時識別との間に含まれてよい。ランダムアクセス応答は６オクテットを含むことができ、タイミングアドバンスコマンドは、６オクテットの第１のオクテットの一部分、および６オクテットの第２のオクテットの一部分に含まれてよく、ＵＬグラントは、６オクテットの第２のオクテットの一部分、および６オクテットの第３および第４のオクテットに含まれてよく、ワイヤレス端末に対する一時識別は、６オクテットの第５および第６のオクテットに含まれてよい。
【００９７】
ブロック８０３のランダムアクセス応答は、タイミングアドバンスコマンド、ワイヤレス端末に対する一時識別、および／またはメッセージ３アップリンク通信に対する変調符号化方式をさらに含むことができる。
【００９８】
ブロック８０１においてランダムアクセスプリアンブルを受信することは、物理ランダムアクセスチャネルＰＲＡＣＨを介してランダムアクセスプリアンブルを受信することを含むことができる、および／または、ブロック８０３においてランダムアクセス応答を送信することは、物理ダウンリンク共有チャネルＰＤＳＣＨを介してランダムアクセス応答を送信することを含むことができる。
【００９９】
図８のさまざまな動作および／または図９のさまざまなモジュールは、基地局および関連した方法のいくつかの実施形態に関してオプションであってよい。例えば、（以下に示される）実施形態の例３０の方法に関して、図８のブロック８０５、８０７、および８０９の動作はオプションであってよく、関連した終端ノードに関して、図９のモジュール９０５、９０７、および９０９はオプションであってよい。
【０１００】
参考文献
［１］３ＧＰＰ  ＴＳ  ３６．３２１、「Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ  １２）」、Ｖ１２．５．０、２０１５年３月
［２］３ＧＰＰ  ＴＳ  ３６．３３１、「Ｒａｄｉｏ  Ｒｅｓｏｕｒｃｅ  Ｃｏｎｔｒｏｌ（ＲＲＣ）、Ｐｒｏｔｏｃｏｌ  Ｓｐｅｃｉｆｉｃａｔｉｏｎ（Ｒｅｌｅａｓｅ  １２）」、Ｖ１２．５．０、２０１５年３月
［３］３ＧＰＰ  ＴＳ３６．２１３、「Ｐｈｙｓｉｃａｌ  ｌａｙｅｒ  ｐｒｏｃｅｄｕｒｅｓ（Ｒｅｌｅａｓｅ  １２）」、Ｖ１２．０．０、２０１３年１２月
［４］３ＧＰＰ  ＴＳ３６．２１１、「Ｐｈｙｓｉｃａｌ  ｃｈａｎｎｅｌｓ  ａｎｄｍｏｄｕｌａｔｉｏｎ（Ｒｅｌｅａｓｅ  １２）」、Ｖ１２．０．０、２０１３年１２月
［５］３ＧＰＰ  ＴＳＧ−ＲＡＮ  ＷＧ２＃９１、「Ｒａｎｄｏｍ  Ａｃｃｅｓｓ  Ｆｏｒ  Ｒｅｌ−１３  Ｌｏｗ  Ｃｏｍｐｌｅｘｉｔｙ  Ａｎｄ  Ｅｎｈａｎｃｅｄ  Ｃｏｖｅｒａｇｅ  ＵＥｓ」、Ｂｅｉｊｉｎｇ、Ｐ．Ｒ．Ｃｈｉｎａ、２０１５年８月２４日〜２８日
【０１０１】
実施形態の例
１．ワイヤレス端末（ＵＥ−ａ）を動作させる方法であって、ワイヤレス端末（ＵＥ−ａ）から無線アクセスネットワーク（ＲＡＮ）のノード（ＢＳ−ａ）へランダムアクセス手順のランダムアクセスプリアンブルを送信することと、ランダムアクセスプリアンブルを送信後、無線アクセスネットワークのノード（ＢＳ−ａ）からランダムアクセス手順のランダムアクセス応答（ＲＡＲ）を受信することであって、このランダムアクセス応答はランダムアクセス手順のメッセージ３アップリンク通信に対するアップリンク（ＵＬ）グラントを含み、ＵＬグラントは、メッセージ３アップリンク通信に関連付けられた時間領域構成を含み、時間領域構成は、（ａ）メッセージ３アップリンク通信のサブフレームにわたる繰り返し回数を規定する繰り返し因数、および／または（ｂ）メッセージ３アップリンク通信の送信時間間隔（ＴＴＩ）情報を含む、受信することと、を含む方法。
【０１０２】
２．ＵＬグラントは、メッセージ３アップリンク通信に関連付けられた周波数領域構成をさらに含み、周波数領域構成は、メッセージ３アップリンク通信に対する物理リソースブロック（ＰＲＢ）リソースを指示するリソースブロックアサインメントを含み、リソースブロックアサインメントは、（ａ）ＵＬ狭帯域インデックス、および（ｂ）狭帯域内のＰＲＢペアのセット、ならびに／またはメッセージ３アップリンク通信の周波数ホッピング構成を含む、実施形態１の方法。
【０１０３】
３．ランダムアクセス応答は、ランダムアクセス手順のメッセージ４ダウンリンク通信に関連付けられた繰り返し因数をさらに含み、繰り返し因数は、メッセージ４ダウンリンク通信に関連付けられた繰り返し回数を規定するために使用される、実施形態１または２の方法。
【０１０４】
４．ランダムアクセス応答は、ランダムアクセス手順のメッセージ３アップリンク通信に対する繰り返し因数を含む、方法であって、メッセージ３アップリンク通信の送信繰り返し回数を、ワイヤレス端末（ＵＥ−ａ）から無線アクセスネットワークのノード（ＢＳ−ａ）に提供することであって、送信繰り返し回数は、メッセージ３アップリンク通信に対する繰り返し因数に基づく、提供することをさらに含む、実施形態１から３のいずれかの方法。
【０１０５】
５．送信繰り返し回数は、メッセージ３アップリンク通信に対する繰り返し因数、およびランダムアクセスプリアンブルの送信繰り返し回数に基づく、実施形態４の方法。
【０１０６】
６．送信繰り返し回数は、メッセージ３アップリンク通信に対する繰り返し因数、およびノード（ＢＳ−ａ）からワイヤレス端末（ＵＥ−ａ）へのダウンリンクチャネルのカバレッジ拡張レベルに基づく、実施形態４の方法。
【０１０７】
７．ノード（ＢＳ−ａ）から受信されたダウンリンク送信に基づいてダウンリンクチャネルのカバレッジ拡張レベルを判断することをさらに含む、実施形態６の方法。
【０１０８】
８．送信繰り返し回数は、メッセージ３アップリンク通信に対する繰り返し因数、およびランダムアクセス応答の送信繰り返し回数に基づく、ならびに／または、メッセージ３アップリンク通信に対する繰り返し因数、およびランダムアクセス応答の制御情報の送信繰り返し回数に基づく、実施形態４の方法。
【０１０９】
９．メッセージ３アップリンク送信は無線リソース制御（ＲＲＣ）接続リクエストを含む、実施形態４から８のいずれかの方法。
【０１１０】
１０．メッセージ３アップリンク送信は物理アップリンク共有チャネル（ＰＵＳＣＨ）上で送信される、実施形態４から９のいずれかの方法。
【０１１１】
１１．ランダムアクセス応答は、メッセージ４ダウンリンク通信に関連付けられた制御情報の繰り返し回数を規定するために使用されるメッセージ４ダウンリンク通信に関連付けられた繰り返し因数を含む、方法であって、メッセージ４ダウンリンク通信に関連付けられた繰り返し因数に基づいてメッセージ４ダウンリンク通信に関連付けられた制御情報を受信することと、制御情報を使用してノード（ＢＳ−ａ）からメッセージ４ダウンリンク通信を受信することとをさらに含む、実施形態１から８のいずれかの方法。
【０１１２】
１２．送信繰り返し回数は、メッセージ４ダウンリンク通信に関連付けられた繰り返し因数、およびランダムアクセスプリアンブルの送信繰り返し回数に基づく、実施形態１１の方法。
【０１１３】
１３．送信繰り返し回数は、メッセージ４ダウンリンク通信に関連付けられた繰り返し因数、および、ノード（ＢＳ−ａ）からワイヤレス端末（ＵＥ−ａ）へのダウンリンクチャネルのカバレッジ拡張レベルに基づく、実施形態１１の方法。
【０１１４】
１４．ノード（ＢＳ−ａ）から受信されたダウンリンク送信に基づいてダウンリンクチャネルのカバレッジ拡張レベルを判断することをさらに含む、実施形態１３の方法。
【０１１５】
１５．送信繰り返し回数は、メッセージ４ダウンリンク通信に関連付けられた繰り返し因数、およびランダムアクセス応答の送信繰り返し回数に基づく、ならびに／または、メッセージ４ダウンリンク通信に対する繰り返し因数、およびランダムアクセス応答の制御情報の送信繰り返し回数に基づく、実施形態１１の方法。
【０１１６】
１６．メッセージ４ダウンリンク通信に関連付けられた制御情報は、物理ダウンリンク制御チャネル上で受信され、メッセージ４ダウンリンク通信は物理ダウンリンク共有チャネル上で受信される、実施形態１１から１５のいずれかの方法。
【０１１７】
１７．メッセージ４ダウンリンク通信は、競合解消メッセージ、および／または後続のアップリンク通信に対するアップリンクグラントを含む、実施形態１１から１６のいずれかの方法。
【０１１８】
１８．ランダムアクセス応答は、メッセージ３アップリンク通信に関連付けられた時間および／または周波数位置を規定する情報を含む、方法であって、ランダムアクセス応答からの時間および／または周波数位置を規定する情報に基づいてメッセージ３アップリンク通信の送信を提供することをさらに含む、実施形態１から１７のいずれの方法。
【０１１９】
１９．時間および／または周波数位置を規定する情報は、メッセージ３アップリンク通信のサブフレームにおいて時間および／または周波数位置を規定する、実施形態１８の方法。
【０１２０】
２０．時間および／または周波数位置を規定する情報は、以下：（ａ）メッセージ３アップリンク送信を伝搬するサブフレームのセットの中の開始サブフレーム、（ｂ）メッセージ３アップリンク送信を伝搬するためのサブフレームにわたる繰り返し回数、（ｃ）メッセージ３アップリンク送信のサブフレームにおける周波数位置であって、狭帯域インデックスまたはＰＲＢペアインデックスによって提供される周波数位置、（ｄ）メッセージ３アップリンク送信によって占められるＰＲＢペアの数、（ｅ）メッセージ３アップリンク送信のリソースブロック割り当て情報、（ｆ）メッセージ３アップリンク送信の周波数ホッピング構成、のうちの１つまたは複数を規定する、実施形態１９の方法。
【０１２１】
２１．ランダムアクセス応答は、メッセージ４ダウンリンク通信のための制御チャネルの構成情報を含む、方法であって、構成情報に基づいてメッセージ４ダウンリンク通信に関連付けられた制御チャネルを受信することと、制御チャネルに基づいてノード（ＢＳ−ａ）からメッセージ４ダウンリンク通信を受信することとをさらに含む、実施形態１から２０のいずれかの方法。
【０１２２】
２２．構成情報は、以下：（ａ）メッセージ４ダウンリンク通信に関連付けられた制御チャネルを伝搬するサブフレームのセットの中の開始サブフレーム、（ｂ）制御チャネルを伝搬するためのサブフレームにわたる繰り返し回数、（ｃ）制御チャネルのサブフレームにおける周波数位置であって、狭帯域インデックスまたはＰＲＢペアインデックスによって提供される周波数位置、（ｄ）制御チャネルに使用されるＰＲＢペアの数、（ｅ）制御チャネルのリソースブロックアサインメント情報、および／または（ｆ）制御チャネルの周波数ホッピング構成、のうちの１つまたは複数を提供する時間および／または周波数リソース定義を含む、実施形態２１の方法。
【０１２３】
２３．構成情報はＰＵＣＣＨリソースオフセット情報をさらに含む、実施形態２２の方法。
【０１２４】
２４．ランダムアクセス応答は、タイミングアドバンスコマンド、およびワイヤレス端末に対する一時識別をさらに含み、ＵＬグラントは、タイミングアドバンスコマンドとワイヤレス端末に対する一時識別との間に含まれる、実施形態１から２２のいずれかの方法。
【０１２５】
２５．ランダムアクセス応答は６オクテットを含み、タイミングアドバンスコマンドは、６オクテットの第１のオクテットの一部分、および６オクテットの第２のオクテットの一部分に含まれ、ＵＬグラントは、６オクテットの第２のオクテットの一部分、および６オクテットの第３および第４のオクテットに含まれ、ワイヤレス端末に対する一時識別は、６オクテットの第５および第６のオクテットに含まれる、実施形態２４の方法。
【０１２６】
２６．ランダムアクセス応答は、タイミングアドバンスコマンド、ワイヤレス端末に対する一時識別、および／またはメッセージ３アップリンク通信に対する変調符号化方式をさらに含む、実施形態１から２５のいずれかの方法。
【０１２７】
２７．ランダムアクセスプリアンブルを送信することは、物理ランダムアクセスチャネル（ＰＲＡＣＨ）を介してランダムアクセスプリアンブルを送信することを含む、および／または、ランダムアクセス応答を受信することは、物理ダウンリンク共有チャネル（ＰＤＳＣＨ）を介してランダムアクセス応答を受信することを含む、実施形態１から２６のいずれかの方法。
【０１２８】
２８．実施形態１から２７のいずれかに従って行うように適合される、ワイヤレス端末（ＵＥ−ａ）。
【０１２９】
２９．無線アクセスネットワーク（ＲＡＮ）のノード（ＢＳ−ａ）とのワイヤレス通信を提供するように構成されるトランシーバ（３０１−ａ）と、トランシーバと連結されるプロセッサ（３０３−ａ）とを含み、プロセッサは実施形態１から２７のいずれかによる動作を行うように構成され、プロセッサは、トランシーバ（３０１−ａ）を通してノード（ＢＳ−ａ）に対する通信の送信および／または受信を行うように構成される、ワイヤレス端末（ＵＥ−ａ）。
【０１３０】
３０．無線アクセスネットワーク（ＲＡＮ）のノード（ＢＳ−ａ）を動作させる方法であって、ワイヤレス端末（ＵＥ−ａ）からランダムアクセス手順のランダムアクセスプリアンブルを受信することと、ランダムアクセスプリアンブルの受信に応答して、ワイヤレス端末（ＵＥ−ａ）にランダムアクセス手順のランダムアクセス応答（ＲＡＲ）を送信することであって、ランダムアクセス応答は、ランダムアクセス手順のメッセージ３アップリンク通信に対するアップリンク（ＵＬ）グラントを含み、ＵＬグラントは、メッセージ３アップリンク通信に関連付けられた時間領域構成を含み、時間領域構成は、（ａ）メッセージ３ＵＬ通信のサブフレームにわたる繰り返し回数を規定する繰り返し因数、または（ｂ）メッセージ３ＵＬ通信の送信時間間隔（ＴＴＩ）情報を含む、送信することと、を含む、方法。
【０１３１】
３１．ＵＬグラントは、メッセージ３アップリンク通信に関連付けられた周波数領域構成をさらに含み、周波数領域構成は、メッセージ３アップリンク通信に対する物理リソースブロック（ＰＲＢ）リソースを指示するリソースブロックアサインメントを含み、リソースブロックアサインメントは、（ａ）ＵＬ狭帯域インデックス、および（ｂ）狭帯域内のＰＲＢペアのセット、ならびに／またはメッセージ３アップリンク通信の周波数ホッピング構成を含む、実施形態３０の方法。
【０１３２】
３２．ランダムアクセス応答は、ランダムアクセス手順のメッセージ４ダウンリンク通信に関連付けられた繰り返し因数をさらに含み、繰り返し因数は、メッセージ４ダウンリンク通信に関連付けられた繰り返し回数を規定するために使用される、実施形態３０から３１のいずれかの方法。
【０１３３】
３３．ランダムアクセス応答は、ランダムアクセス手順のメッセージ３アップリンク通信に対する繰り返し因数を含む、方法であって、ワイヤレス端末（ＵＥ−ａ）からメッセージ３アップリンク通信の送信繰り返し回数を受信することであって、この送信繰り返し回数はメッセージ３アップリンク通信に対する繰り返し因数に基づく、受信することをさらに含む、実施形態３０から３２のいずれかの方法。
【０１３４】
３４．送信繰り返し回数はメッセージ３アップリンク通信に対する繰り返し因数、およびランダムアクセスプリアンブルの送信繰り返し回数に基づく、実施形態３３の方法。
【０１３５】
３５．送信繰り返し回数は、メッセージ３アップリンク通信に対する繰り返し因数、およびノード（ＢＳ−ａ）からワイヤレス端末（ＵＥ−ａ）へのダウンリンクチャネルのカバレッジ拡張レベルに基づく、実施形態３３の方法。
【０１３６】
３６．送信繰り返し回数は、メッセージ３アップリンク通信に対する繰り返し因数、およびランダムアクセス応答の送信繰り返し回数に基づく、および／または、メッセージ３アップリンク通信に対する繰り返し因数、およびランダムアクセス応答の制御情報の送信繰り返し回数に基づく、実施形態３３の方法。
【０１３７】
３７．メッセージ３アップリンク送信は無線リソース制御（ＲＲＣ）接続リクエストを含む、実施形態３３から３６のいずれかの方法。
【０１３８】
３８．メッセージ３アップリンク送信は物理アップリンク共有チャネル（ＰＵＳＣＨ）上で送信される、実施形態３３から３７のいずれかの方法。
【０１３９】
３９．ランダムアクセス応答は、メッセージ４ダウンリンク通信に関連付けられた制御情報の繰り返し回数を規定するために使用されるメッセージ４ダウンリンク通信に関連付けられた繰り返し因数を含む、方法であって、メッセージ４ダウンリンク通信に関連付けられた繰り返し因数に基づいてワイヤレス端末（ＵＥ−ａ）にメッセージ４ダウンリンク通信に関連付けられた制御情報を送信することと、制御情報を使用してノード（ＢＳ−ａ）からワイヤレス端末（ＵＥ−ａ）にメッセージ４ダウンリンク通信を送信することと、をさらに含む、実施形態３３から３８のいずれかの方法。
【０１４０】
４０．送信繰り返し回数はメッセージ４ダウンリンク通信に関連付けられた繰り返し因数、およびランダムアクセスプリアンブルの送信繰り返し回数に基づく、実施形態３９の方法。
【０１４１】
４１．送信繰り返し回数は、メッセージ４ダウンリンク通信に関連付けられた繰り返し因数、およびノード（ＢＳ−ａ）からワイヤレス端末（ＵＥ−ａ）へのダウンリンクチャネルのカバレッジ拡張レベルに基づく、実施形態３９の方法。
【０１４２】
４２．送信繰り返し回数は、メッセージ４ダウンリンク通信に関連付けられた繰り返し因数、およびランダムアクセス応答の送信繰り返し回数に基づく、および／または、メッセージ４ダウンリンク通信に対する繰り返し因数、およびランダムアクセス応答の制御情報の送信繰り返し回数に基づく、実施形態３９の方法。
【０１４３】
４３．メッセージ４ダウンリンク通信に関連付けられた制御情報は、物理ダウンリンク制御チャネル上で送信され、メッセージ４ダウンリンク通信は物理ダウンリンク共有チャネル上で送信される、実施形態３９から４２のいずれかの方法。
【０１４４】
４４．メッセージ４ダウンリンク通信は、競合解消メッセージ、および／または後続のアップリンク通信に対するアップリンクグラントを含む、実施形態３９から４３のいずれかの方法。
【０１４５】
４５．ランダムアクセス応答は、メッセージ３アップリンク通信に関連付けられた時間および／または周波数位置を規定する情報を含む、方法であって、ランダムアクセス応答からの時間および／または周波数位置を規定する情報に基づいてメッセージ３アップリンク通信を受信することをさらに含む、実施形態３０から４４のいずれかの方法。
【０１４６】
４６．時間および／または周波数位置を規定する情報は、メッセージ３アップリンク通信のサブフレームにおいて時間および／または周波数位置を規定する、実施形態４５の方法。
【０１４７】
４７．時間および／または周波数位置を規定する情報は、以下：（ａ）メッセージ３アップリンク送信を伝搬するサブフレームのセットの中の開始サブフレーム、（ｂ）メッセージ３アップリンク送信を伝搬するためのサブフレームにわたる繰り返し回数、（ｃ）メッセージ３アップリンク送信のサブフレームにおける周波数位置であって、狭帯域インデックスまたはＰＲＢペアインデックスによって提供される周波数位置、（ｄ）メッセージ３アップリンク送信によって占められるＰＲＢペアの数、（ｅ）メッセージ３アップリンク送信のリソースブロック割り当て情報、および／または（ｆ）メッセージ３アップリンク送信の周波数ホッピング構成、のうちの１つまたは複数を規定する、実施形態４６の方法。
【０１４８】
４８．ランダムアクセス応答は、メッセージ４ダウンリンク通信のための制御チャネルの構成情報を含む、方法であって、構成情報に基づいてメッセージ４ダウンリンク通信に関連付けられた制御チャネルをワイヤレス端末に送信することと、制御チャネルに基づいてワイヤレス端末（ＵＥ−ａ）にメッセージ４ダウンリンク通信を送信することとをさらに含む、実施形態３０から４７のいずれかの方法。
【０１４９】
４９．構成情報は、以下：（ａ）メッセージ４ダウンリンク通信に関連付けられた制御チャネルを伝搬するサブフレームのセットの中の開始サブフレーム、（ｂ）制御チャネルを伝搬するためのサブフレームにわたる繰り返し回数、（ｃ）制御チャネルのサブフレームにおける周波数位置であって、狭帯域インデックスまたはＰＲＢペアインデックスによって提供される周波数位置、（ｄ）制御チャネルに使用されるＰＲＢペアの数、（ｅ）制御チャネルのリソースブロックアサインメント情報、および／または（ｆ）制御チャネルの周波数ホッピング構成、のうちの１つまたは複数を提供する時間および／または周波数リソース定義を含む、実施形態４８の方法。
【０１５０】
５０．構成情報はＰＵＣＣＨリソースオフセット情報をさらに含む、実施形態４９の方法。
【０１５１】
５１．ランダムアクセス応答は、タイミングアドバンスコマンド、およびワイヤレス端末に対する一時識別をさらに含み、ＵＬグラントは、タイミングアドバンスコマンドとワイヤレス端末に対する一時識別との間に含まれる、実施形態３０から５０のいずれかの方法。
【０１５２】
５２．ランダムアクセス応答は６オクテットを含み、タイミングアドバンスコマンドは、６オクテットの第１のオクテットの一部分、および６オクテットの第２のオクテットの一部分に含まれ、ＵＬグラントは、６オクテットの第２のオクテットの一部分、および６オクテットの第３および第４のオクテットに含まれ、ワイヤレス端末に対する一時識別は、６オクテットの第５および第６のオクテットに含まれる、実施形態５１の方法。
【０１５３】
５３．ランダムアクセス応答は、タイミングアドバンスコマンド、ワイヤレス端末に対する一時識別、および／またはメッセージ３アップリンク通信に対する変調符号化方式をさらに含む、実施形態３０から５２のいずれかの方法。
【０１５４】
５４．ランダムアクセスプリアンブルを受信することは、物理ランダムアクセスチャネル（ＰＲＡＣＨ）を介してランダムアクセスプリアンブルを受信することを含む、および／または、ランダムアクセス応答を送信することは、物理ダウンリンク共有チャネル（ＰＤＳＣＨ）を介してランダムアクセス応答を送信することを含む、実施形態３０から５３のいずれかの方法。
【０１５５】
５５．実施形態３０から５４のいずれかに従って行うように適合される、無線アクセスネットワーク（ＲＡＮ）のノード（ＢＳ−ａ）。
【０１５６】
５６．ワイヤレス通信ネットワークのノード（ＢＳ−ａ）であって、ノード（ＢＳ−ａ）のカバレッジエリアにおける複数のワイヤレス端末（ＵＥ）とのワイヤレス通信を提供するように構成されるトランシーバ（２０１−ａ）と、トランシーバ（２０１−ａ）に連結されるプロセッサ（２０３−ａ）であって、実施形態３０から５４のいずれかに従って動作を行うように構成され、かつ、トランシーバ（２０１−ａ）を通してワイヤレス端末（ＵＥ−ａ）に対する通信の送信および／または受信を行うように構成されるプロセッサと、を含む、ノード（ＢＳ−ａ）。
【０１５７】
さらなる定義
あるエレメントが別のエレメントに「接続される」「連結される」「応答する」、またはそれらの変形として称される時、該エレメントは他のエレメントに直接的に接続、連結、または応答できる、または１つまたは複数の介在するエレメントが存在してよい。対照的に、あるエレメントが別のエレメントに「直接接続される」、「直接連結される」、「直接応答する」、またはそれらの変形として称される時、介在するエレメントは存在しない。同様の番号は、全体を通して同様のノード／エレメントに言及する。さらに、本明細書で使用される「連結される」、「接続される」、「応答する」、またはそれらの変形は、ワイヤレスな連結、接続、または応答を含んでよい。本明細書で使用されるように、単数形「ａ」、「ａｎ」、および「ｔｈｅ」は、文脈で別段明確に指示しない限り、複数形も含むことが意図される。簡潔さおよび／または明瞭さのために、周知の機能または構成は詳細に説明されない場合がある。用語「および／または」、略記された「／」、は、関連する列挙された項目の１つまたは複数の任意のおよび全ての組み合わせを含む。
【０１５８】
本明細書で使用されるように、用語「含む（ｃｏｍｐｒｉｓｅ）」、「備える（ｃｏｍｐｒｉｓｉｎｇ）」、「含む（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」、またはそれらの変形は、状況に応じて変更可能であり、１つまたは複数の述べられた特徴、整数、ノード、ステップ、構成要素、または機能を含むが、１つまたは複数の他の特徴、整数、ノード、ステップ、構成要素、機能、またはこれらのグループの存在または追加を排除しない。さらに、本明細書で使用されるように、ラテン語の語句「ｅｘｅｍｐｌｉ  ｇｒａｔｉａ」に由来する一般の略語「ｅ．ｇ．」は、以前に述べた項目の一般的な例を導入または指定するために使用されてよく、かかる項目に限定することを意図していない。ラテン語の語句「ｉｄ  ｅｓｔ」に由来する一般の略語「ｉ．ｅ．」は、より一般的な記述から特定の項目を指定するために使用可能である。
【０１５９】
第１、第２、第３などの用語は、さまざまなエレメント／動作を説明するために本明細書において使用可能であるが、これらのエレメント／動作は、これらの用語によって限定されるべきではないことは理解されるであろう。これらの用語は、あるエレメント／動作を別のエレメント／動作から区別するためだけに使用される。よって、いくつかの実施形態における第１のエレメント／動作は、本発明概念の教示から逸脱することなく、他の実施形態において第２のエレメント／動作と呼ぶことができる。本明細書で説明されかつ例示される本発明概念の態様の実施形態の例は、それらの相補的な対応物を含む。同じ参照符号または同じ参照記号は、明細書全体を通して同じまたは同様のエレメントを指す。
【０１６０】
実施形態の例は、コンピュータに実装される方法、装置（システムおよび／またはデバイス）および／またはコンピュータプログラム製品のブロック図および／またはフローチャート図を参照して本明細書において説明される。ブロック図のブロックおよび／またはフローチャート図、およびブロック図におけるブロックおよび／またはフローチャート図の組み合わせは、１つまたは複数のコンピュータ回路によって行われるコンピュータプログラム命令によって実施できることは理解されたい。これらのコンピュータプログラム命令は、汎用コンピュータ回路、専用コンピュータ回路、および／または他のプログラマブルデータ処理回路のプロセッサ回路（プロセッサとも称される）に提供されて、機械を製造することができ、それによって、ブロック図および／またはフローチャートのブロックで指定される機能／作用を実施するために、コンピュータおよび／または他のプログラマブルデータ処理装置のプロセッサによって実行する命令は、トランジスタ、メモリ位置に記憶された値、およびかかる回路構成内の他のハードウェア構成要素を変換しかつ制御することによって、ブロック図および／またはフローチャートのブロックで指定される機能／作用を実施するための手段（機能性）および／または構造をもたらすことができる。
【０１６１】
これらのコンピュータプログラム命令はまた、特定のやり方で機能するように、コンピュータまたは他のプログラマブルデータ処理装置に指図できるように有形のコンピュータ可読媒体に記憶可能であり、それによって、コンピュータ可読媒体に記憶された命令が、ブロック図および／またはフローチャートのブロックにおいて指定された機能／作用を実施する命令を含む製造品を製造するようにする。
【０１６２】
有形の、非一時的なコンピュータ可読媒体は、電子、磁気、光学、電磁、もしくは半導体データ記憶システム、装置、またはデバイスを含むことができる。コンピュータ可読媒体のより具体的な例は、ポータブルコンピュータディスケット、ランダムアクセスメモリ（ＲＡＭ）回路、読み出し専用メモリ（ＲＯＭ）回路、消去可能プログラマブル読み出し専用メモリ（ＥＰＲＯＭまたはフラッシュメモリ）回路、ポータブルコンパクトディスク読み出し専用メモリ（ＣＤ−ＲＯＭ）、およびポータブルデジタルディスク読み出し専用メモリ（ＤＶＤ／ＢｌｕｅＲａｙ）を含むことになる。
【０１６３】
コンピュータプログラム命令はまた、コンピュータおよび／または他のプログラマブルデータ処理装置にロードされて、コンピュータに実装されたプロセスを生じさせるように一連の動作ステップがコンピュータおよび／または他のプログラマブル装置上で行われるようにすることで、コンピュータまたは他のプログラマブル装置上で実行する命令が、ブロック図および／またはフローチャートのブロックに指定された機能／作用を実施するためのステップを提供するようにする。それ故に、本発明概念の実施形態は、デジタル信号プロセッサなどのプロセッサ上で作動する、総称して「回路構成」、「モジュール」、またはこれらの変形として称される場合がある、ハードウェアおよび／またはソフトウェア（ファームウェア、常駐ソフトウェア、マイクロコードなどを含む）において具現化されてよい。
【０１６４】
また、いくつかの代替的な実装形態において、ブロックに記されている機能／作用は、フローチャートに記されている順番から外れてもよいことは、留意されるべきである。例えば、実際に、連続して示される２つのブロックは、実質的に同時に実行可能である、または、該ブロックは、関係する機能性／作用に左右されて、逆の順序で実行される時があってよい。また、フローチャートおよび／またはブロック図の所与のブロックの機能性は、複数のブロックに分離されてよい、および／またはフローチャートおよび／またはブロック図の２つ以上のブロックの機能性は、少なくとも部分的には統合されてよい。最後に、他のブロックは、例示されるブロック間に追加／挿入可能である。さらに、図のいくつかは、通信の主要な方向を示すために通信経路上に矢印を含むが、図示された矢印と逆の方向に通信が発生する場合があることは理解されたい。
【０１６５】
上記の説明および図面に関連して、多くの異なる実施形態が本明細書に開示されている。これらの実施形態の組み合わせおよびサブコンビネーション全てをそのまま説明および例示することは、繰り返しが多すぎて不明瞭になるであろうことは理解されるであろう。それ故に、図面を含む本明細書は、実施形態およびやり方のさまざまな例としての組み合わせおよびサブコンビネーション、ならびにそれらを作成しかつ使用するプロセスの完全に記述された説明を構成すると解釈されるものとし、かつ任意のかかる組み合わせまたはサブコンビネーションに対する請求をサポートするものとする。
【０１６６】
発明概念の実施形態による他のネットワークエレメント、通信デバイス、および／または方法は、当業者が本発明の図面および説明を精査することで明らかとなるであろう。このような追加のネットワークエレメント、デバイス、および／または方法全てが、本発明概念の範囲内にある本明細書内に含まれることが意図される。また、本明細書に開示される全ての実施形態が、別個に実施可能である、または任意のやり方および／または組み合わせで組み合わせ可能であることが意図される。
【図１】
2020115652.tif 000004
【図２】
2020115652.tif 000005
【図３】
2020115652.tif 000006
【図４】
2020115652.tif 000007
【図５】
2020115652.tif 000008
【図６】
2020115652.tif 000009
【図７】
2020115652.tif 000010
【図８】
2020115652.tif 000011
【図９】
2020115652.tif 000012
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
ワイヤレス端末（ＵＥ−ａ）を動作させる方法であって、
前記ワイヤレス端末（ＵＥ−ａ）から無線アクセスネットワーク（ＲＡＮ）のノード（ＢＳ−ａ）へランダムアクセス手順のランダムアクセスプリアンブルを送信すること（６０１）と、
前記ランダムアクセスプリアンブルを送信後、前記無線アクセスネットワークの前記ノード（ＢＳ−ａ）から前記ランダムアクセス手順のランダムアクセス応答（ＲＡＲ）を受信すること（６０３）であって、前記ランダムアクセス応答は前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３アップリンク通信のサブフレームにわたる繰り返し回数を規定する繰り返し因数、および／または（ｂ）前記メッセージ３アップリンク通信の送信時間間隔（ＴＴＩ）情報を含む時間領域構成と、
前記メッセージ３アップリンク通信に関連付けられた周波数領域構成であって、
前記メッセージ３アップリンク通信に対する物理リソースブロック（ＰＲＢ）リソースを指示するリソースブロックアサインメントであって、（ａ）ＵＬ狭帯域インデックス、および（ｂ）狭帯域内のＰＲＢペアのセットを含むリソースブロックアサインメント、ならびに／または
前記メッセージ３アップリンク通信の周波数ホッピング構成を含む、前記周波数領域構成と、
を含む、受信することと、
を含み、
前記ランダムアクセス応答は、前記メッセージ３アップリンク通信に関連付けられた時間および／または周波数位置を規定する情報を含み、前記方法は、
前記ランダムアクセス応答からの前記時間および／または周波数位置を規定する前記情報であって、前記メッセージ３アップリンク通信のサブフレームにおける前記時間および／または周波数位置を規定する前記情報に基づいて前記メッセージ３アップリンク通信の送信を提供すること（６０５）
をさらに含む、方法。
【請求項２】
前記時間および／または周波数位置を規定する前記情報は、
（ａ）前記メッセージ３アップリンク通信を伝搬するサブフレームのセットの中の開始サブフレーム、
（ｂ）前記メッセージ３アップリンク通信を伝搬するためのサブフレームにわたる繰り返し回数、
（ｃ）前記メッセージ３アップリンク通信のサブフレームにおける周波数位置であって、狭帯域インデックスまたはＰＲＢペアインデックスによって提供される周波数位置、
（ｄ）前記メッセージ３アップリンク通信によって占められるＰＲＢペアの数、
（ｅ）前記メッセージ３アップリンク通信のリソースブロック割り当て情報、および／または
（ｆ）前記メッセージ３アップリンク通信の周波数ホッピング構成、
のうちの１つまたは複数を規定する、請求項１に記載の方法。
【請求項３】
前記ランダムアクセス応答は、メッセージ４ダウンリンク通信のための制御チャネルの構成情報を含み、前記方法は、
前記構成情報に基づいて前記メッセージ４ダウンリンク通信に関連付けられた前記制御チャネルを受信すること（６０７）と、
前記制御チャネルに基づいて前記ノード（ＢＳ−ａ）から前記メッセージ４ダウンリンク通信を受信すること（６０９）と
をさらに含む、請求項１または２に記載の方法。
【請求項４】
前記構成情報は、
（ａ）前記メッセージ４ダウンリンク通信に関連付けられた前記制御チャネルを伝搬するサブフレームのセットの中の開始サブフレーム、
（ｂ）前記制御チャネルを伝搬するためのサブフレームにわたる繰り返し回数、
（ｃ）前記制御チャネルのサブフレームにおける周波数位置であって、狭帯域インデックスまたはＰＲＢペアインデックスによって提供される周波数位置、
（ｄ）前記制御チャネルに使用されるＰＲＢペアの数、
（ｅ）前記制御チャネルのリソースブロックアサインメント情報、および／または
（ｆ）前記制御チャネルの周波数ホッピング構成、
のうちの１つまたは複数を提供する時間および／または周波数リソース定義を含む、請求項３に記載の方法。
【請求項５】
前記ランダムアクセス応答は、タイミングアドバンスコマンド、および前記ワイヤレス端末に対する一時識別をさらに含み、前記ＵＬグラントは、前記タイミングアドバンスコマンドと前記ワイヤレス端末に対する前記一時識別との間に含まれる、請求項１から４のいずれか一項に記載の方法。
【請求項６】
前記ランダムアクセス応答は６オクテットを含み、前記タイミングアドバンスコマンドは、前記６オクテットの第１のオクテットの一部分、および前記６オクテットの第２のオクテットの一部分に含まれ、前記ＵＬグラントは、前記６オクテットの前記第２のオクテットの一部分、および前記６オクテットの第３および第４のオクテットに含まれ、前記ワイヤレス端末に対する前記一時識別は、前記６オクテットの第５および第６のオクテットに含まれる、請求項５に記載の方法。
【請求項７】
前記ランダムアクセスプリアンブルを送信することは、物理ランダムアクセスチャネル（ＰＲＡＣＨ）を介して前記ランダムアクセスプリアンブルを送信することを含む、および／または、前記ランダムアクセス応答を受信することは、物理ダウンリンク共有チャネル（ＰＤＳＣＨ）を介して前記ランダムアクセス応答を受信することを含む、請求項１から６のいずれか一項に記載の方法。
【請求項８】
無線アクセスネットワーク（ＲＡＮ）のノード（ＢＳ−ａ）を動作させる方法であって、
ワイヤレス端末（ＵＥ−ａ）からランダムアクセス手順のランダムアクセスプリアンブルを受信すること（８０１）と、
前記ランダムアクセスプリアンブルの受信に応答して、前記ワイヤレス端末（ＵＥ−ａ）に前記ランダムアクセス手順のランダムアクセス応答（ＲＡＲ）を送信すること（８０３）であって、前記ランダムアクセス応答は、前記ランダムアクセス手順のメッセージ３アップリンク通信に対するアップリンク（ＵＬ）グラントを含み、前記ＵＬグラントは、
前記メッセージ３アップリンク通信に関連付けられた時間領域構成であって、（ａ）前記メッセージ３ＵＬ通信のサブフレームにわたる繰り返し回数を規定する繰り返し因数、または（ｂ）前記メッセージ３ＵＬ通信の送信時間間隔（ＴＴＩ）情報を含む時間領域構成と、
前記メッセージ３アップリンク通信に関連付けられた周波数領域構成であって、
前記メッセージ３アップリンク通信に対する物理リソースブロック（ＰＲＢ）リソースを指示するリソースブロックアサインメントであって、（ａ）ＵＬ狭帯域インデックス、および（ｂ）狭帯域内のＰＲＢペアのセットを含むリソースブロックアサインメント、ならびに／または
前記メッセージ３アップリンク通信の周波数ホッピング構成を含む、前記周波数領域構成と、
前記ランダムアクセス応答は、前記メッセージ３アップリンク通信に関連付けられた時間および／または周波数位置を規定する情報を含み、前記方法は、
前記ランダムアクセス応答からの前記時間および／または周波数位置を規定する前記情報であって、前記メッセージ３アップリンク通信のサブフレームにおいて時間および／または周波数位置を規定する前記情報に基づいて前記メッセージ３アップリンク通信を受信すること（８０５）
を含む、送信することと、
を含む、方法。
【請求項９】
前記時間および／または周波数位置を規定する前記情報は、
（ａ）前記メッセージ３アップリンク通信を伝搬するサブフレームのセットの中の開始サブフレーム、
（ｂ）前記メッセージ３アップリンク通信を伝搬するためのサブフレームにわたる繰り返し回数、
（ｃ）前記メッセージ３アップリンク通信のサブフレームにおける周波数位置であって、狭帯域インデックスまたはＰＲＢペアインデックスによって提供される周波数位置、
（ｄ）前記メッセージ３アップリンク通信によって占められるＰＲＢペアの数、
（ｅ）前記メッセージ３アップリンク通信のリソースブロック割り当て情報、および／または
（ｆ）前記メッセージ３アップリンク通信の周波数ホッピング構成、
のうちの１つまたは複数を規定する、請求項８に記載の方法。
【請求項１０】
前記ランダムアクセス応答は、メッセージ４ダウンリンク通信のための制御チャネルの構成情報を含み、前記方法は、
前記構成情報に基づいて前記メッセージ４ダウンリンク通信に関連付けられた前記制御チャネルを前記ワイヤレス端末に送信すること（８０７）と、
前記制御チャネルに基づいて前記ワイヤレス端末（ＵＥ−ａ）に前記メッセージ４ダウンリンク通信を送信すること（８０９）と
をさらに含む、請求項８または９に記載の方法。
【請求項１１】
前記構成情報は、
（ａ）前記メッセージ４ダウンリンク通信に関連付けられた前記制御チャネルを伝搬するサブフレームのセットの中の開始サブフレーム、
（ｂ）前記制御チャネルを伝搬するためのサブフレームにわたる繰り返し回数、
（ｃ）前記制御チャネルのサブフレームにおける周波数位置であって、狭帯域インデックスまたはＰＲＢペアインデックスによって提供される周波数位置、
（ｄ）前記制御チャネルに使用されるＰＲＢペアの数、
（ｅ）前記制御チャネルのリソースブロックアサインメント情報、および／または
（ｆ）前記制御チャネルの周波数ホッピング構成、
のうちの１つまたは複数を提供する時間および／または周波数リソース定義を含む、請求項１０に記載の方法。
【請求項１２】
前記ランダムアクセス応答は、タイミングアドバンスコマンド、および前記ワイヤレス端末に対する一時識別をさらに含み、前記ＵＬグラントは、前記タイミングアドバンスコマンドと前記ワイヤレス端末に対する前記一時識別との間に含まれる、請求項８から１１のいずれか一項に記載の方法。
【請求項１３】
前記ランダムアクセス応答は６オクテットを含み、前記タイミングアドバンスコマンドは、前記６オクテットの第１のオクテットの一部分、および前記６オクテットの第２のオクテットの一部分に含まれ、前記ＵＬグラントは、前記６オクテットの前記第２のオクテットの一部分、および前記６オクテットの第３および第４のオクテットに含まれ、前記ワイヤレス端末に対する前記一時識別は、前記６オクテットの第５および第６のオクテットに含まれる、請求項１２に記載の方法。
【請求項１４】
前記ランダムアクセス応答は、タイミングアドバンスコマンド、前記ワイヤレス端末に対する一時識別、および／または前記メッセージ３アップリンク通信に対する変調符号化方式をさらに含む、請求項８から１３のいずれか一項に記載の方法。
【請求項１５】
前記ランダムアクセスプリアンブルを受信することは、物理ランダムアクセスチャネル（ＰＲＡＣＨ）を介して前記ランダムアクセスプリアンブルを受信することを含む、および／または、前記ランダムアクセス応答を送信することは、物理ダウンリンク共有チャネル（ＰＤＳＣＨ）を介して前記ランダムアクセス応答を送信することを含む、請求項８から１４のいずれか一項に記載の方法。
【外国語明細書】
2020115652000001.pdf